(57)【要約】【課題】本発明の課題は、通信方式及び通信速度の少なくとも一方が異なる複数のネットワークを接続する場合でも伝送効率が低減することを回避することができる管理制御システムを提供することにある。【解決手段】管理制御システム１は、有線ネットワーク群８０と、無線ネットワーク７０と、無線ゲートウェイ群１０とを備える。有線ネットワーク群８０は、空調機システム群５０に接続された複数のネットワークである。無線ネットワーク７０は、有線ネットワーク群８０とは通信方式が異なるネットワークである。無線ゲートウェイ群１０は、有線ネットワーク群８０と無線ネットワーク７０とを接続する複数の無線ゲートウェイである。無線ゲートウェイ群１０の各無線ゲートウェイは、情報共有装置２０ａ、２０ｂ、・・・を有する。情報共有装置２０ａ、２０ｂ、・・・は、空調機システム群５０の情報を有線ネットワーク群８０の複数のネットワークについて共有する。【選択図】        図１
2004328184.tif 000002
【特許請求の範囲】
【請求項１】
複数の空調機器（５０ａ，５０ｂ，５０ｃ，・・・，４５０ａ，４５０ｂ，４５０ｃ，・・・）を管理制御するための管理制御システム（１，４００，５００）であって、
複数の空調機器（５０ａ，５０ｂ，５０ｃ，・・・，４５０ａ，４５０ｂ，４５０ｃ，・・・）に接続された複数のネットワークである第１ネットワーク群（８０，４８０）と、
第１ネットワーク群（８０，４８０）とは通信方式及び通信速度の少なくとも一方が異なるネットワークである第２ネットワーク（７０，４７０，５７０）と、
前記第１ネットワーク群（８０，４８０）と前記第２ネットワーク（７０，４７０，５７０）とを接続する複数のネットワークノード（１０ａ，１０ｂ，１０ｃ，・・・，４１０ａ，４１０ｂ，４１０ｃ，・・・，５１０ａ，５１０ｂ，５１０ｃ，・・・）であるネットワークノード群（１０，４１０，５１０）と、
を備え、
前記ネットワークノード群（１０，４１０，５１０）の各ネットワークノードは、前記複数の空調機器（５０ａ，５０ｂ，５０ｃ，・・・，４５０ａ，４５０ｂ，４５０ｃ，・・・）の情報を前記第１ネットワーク群（８０，４８０）の複数のネットワークについて共有する情報共有装置（２０ａ，２０ｂ，２０ｃ，・・・）を有する、
管理制御システム（１，４００，５００）。
【請求項２】
前記ネットワークノード群（１０，４１０，５１０）の各ネットワークノードは、
前記第２ネットワーク（７０，４７０，５７０）を経由した送受信を行う第１送受信装置（３０ａ，３０ｂ，３０ｃ，・・・）と、
前記第１ネットワーク群（８０，４８０）のいずれかのネットワークを経由した送受信を行う第２送受信装置（４０ａ，４０ｂ，４０ｃ，・・・）と、
を有しており、
前記第１送受信装置（３０ａ，３０ｂ，３０ｃ，・・・）と前記第２送受信装置（４０ａ，４０ｂ，４０ｃ，・・・）とは、互いに非同期で送受信を行い、
前記情報共有装置（２０ａ，２０ｂ，２０ｃ，・・・）は、前記第１ネットワーク群（８０，４８０）のいずれかのネットワークのデータと前記第２ネットワーク（７０，４７０，５７０）のデータとを共通のフォーマットに変換する、
請求項１に記載の管理制御システム（１，４００，５００）。
【請求項３】
前記情報共有装置（２０ａ，２０ｂ，２０ｃ，・・・）は、前記複数の空調機器（５０ａ，５０ｂ，５０ｃ，・・・，４５０ａ，４５０ｂ，４５０ｃ，・・・）のアドレス情報（２４ａ，２４ｂ，２４ｃ，・・・）と前記複数の空調機器（５０ａ，５０ｂ，５０ｃ，・・・，４５０ａ，４５０ｂ，４５０ｃ，・・・）の制御情報（２５ａ，２５ｂ，２５ｃ，・・・）とを共有している、
請求項１又は２に記載の管理制御システム（１，４００，５００）。
【請求項４】
前記第１ネットワーク群（８０，４８０）及び前記第２ネットワーク（７０，４７０，５７０）のいずれか一方は無線回線であり、
複数の前記第１送受信装置（３０）及び複数の前記第２送受信装置（４０）のいずれか一方は無線送受信装置である、
請求項２又は３のいずれかに記載の管理制御システム（１，４００，５００）。
【請求項５】
複数の前記第１送受信装置（３０）は、
通信間隔（２１１，２１６）から決まる通信制御情報（２１１，２１６，２１０，２１２，）を決める送受信装置である単一の親機（３０ａ，３０ｂ，３０ｃ，・・・）と、
前記親機（３０ａ，３０ｂ，３０ｃ，・・・）からの通信に応じて返信を行う送受信装置である一以上の子機（３０ａ，３０ｂ，３０ｃ，・・・）と、
を有しており、
前記親機（３０ａ，３０ｂ，３０ｃ，・・・）が前記子機（３０ａ，３０ｂ，３０ｃ，・・・）に対して同報通信を行うと、前記通信制御情報（２１１，２１６，２１０，２１２，）から決まり子機（３０ａ，３０ｂ，３０ｃ，・・・）ごとに互いに異なる返信遅延時間（２１０，２１２，）を経過した後に前記子機（３０ａ，３０ｂ，３０ｃ，・・・）は同報通信を行う、
請求項２から４のいずれかに記載の管理制御システム（１，４００，５００）。
【請求項６】
前記第１送受信装置（３０ａ，３０ｂ，３０ｃ，・・・）は、受信した情報の送信元アドレスを変更せずに他の第１送受信装置（３０ａ，３０ｂ，３０ｃ，・・・）へ前記受信した情報を転送する、
請求項２から５のいずれかに記載の管理制御システム（１，４００，５００）。
【請求項７】
１以上の空調機器（５０ａ，５０ｂ，５０ｃ，・・・，４５０ａ，４５０ｂ，４５０ｃ，・・・）を集中して管理制御する集中制御装置（６０）をさらに備え、
前記集中制御装置（６０）は、前記第１ネットワーク群（８０，４８０）のいずれかのネットワークを通じて前記第２送受信装置（４０）から前記１以上の空調機器（５０ａ，５０ｂ，５０ｃ，・・・，４５０ａ，４５０ｂ，４５０ｃ，・・・）の情報を受信し、前記第１ネットワーク群（８０，４８０）及び前記第２ネットワーク（７０，４７０，５７０）の少なくとも一方のネットワークを通じて、前記１以上の空調機器（５０ａ，５０ｂ，５０ｃ，・・・，４５０ａ，４５０ｂ，４５０ｃ，・・・）に、前記１以上の空調機器（５０ａ，５０ｂ，５０ｃ，・・・，４５０ａ，４５０ｂ，４５０ｃ，・・・）を集中して制御する情報である集中制御情報を送信する、
請求項１から６のいずれかに記載の管理制御システム（１，４００，５００）。
【請求項８】
複数の空調機器（５０ａ，５０ｂ，５０ｃ，・・・，４５０ａ，４５０ｂ，４５０ｃ，・・・）に接続された複数のネットワーク（８０ａ，８０ｂ，８０ｃ，・・・，４８０ａ，４８０ｂ，４８０ｃ，・・・）である第１ネットワーク群（８０，４８０）と、前記第１ネットワーク群（８０，４８０）とは通信方式及び通信速度の少なくとも一方が異なるネットワークである第２ネットワーク（７０，４７０，５７０）とを接続する複数のネットワークノードであるネットワークノード群（１０，４１０，５１０）のいずれかのネットワークノードである第１ネットワークノード（１０ａ，１０ｂ，１０ｃ，・・・，４１０ａ，４１０ｂ，４１０ｃ，・・・，５１０ａ，５１０ｂ，５１０ｃ，・・・）における情報伝送方法であって、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第２ネットワーク（７０，４７０，５７０）を経由した送受信を行う第１送受信装置（３０ａ，３０ｂ，３０ｃ，・・・）で、前記第２ネットワーク（７０，４７０，５７０）を通じて、前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）とは異なるネットワークノードである第２ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている複数の空調機器（５０ａ，５０ｂ，５０ｃ，・・・，４５０ａ，４５０ｂ，４５０ｃ，・・・）の直前の情報のうち少なくとも一部の空調機器の情報である第１情報が受信される第１ステップと、
前記第１送受信装置（３０ａ，３０ｂ，３０ｃ，・・・）から、前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記複数の空調機器（５０ａ，５０ｂ，５０ｃ，・・・，４５０ａ，４５０ｂ，４５０ｃ，・・・）の直前の情報である第２情報を前記第１ネットワーク群（８０，４８０）の複数のネットワークについて共有する情報共有装置（２０ａ，２０ｂ，２０ｃ，・・・）へ前記第１情報が伝送される第２ステップと、
前記第２情報が前記第１情報により更新される第３ステップと、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第１ネットワーク群（８０，４８０）のいずれかのネットワークである第３ネットワーク（８０ａ，８０ｂ，８０ｃ，・・・，４８０ａ，４８０ｂ，４８０ｃ，・・・）を経由した送受信を行う第２送受信装置（４０ａ，４０ｂ，４０ｃ，・・・）で、前記第３ネットワーク（８０ａ，８０ｂ，８０ｃ，・・・，４８０ａ，４８０ｂ，４８０ｃ，・・・）を通じて、前記複数の空調機器（５０ａ，５０ｂ，５０ｃ，・・・，４５０ａ，４５０ｂ，４５０ｃ，・・・）のうち前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）に前記第３ネットワーク（８０ａ，８０ｂ，８０ｃ，・・・，４８０ａ，４８０ｂ，４８０ｃ，・・・）で接続された１以上の空調機器（５０ａ，５０ｂ，５０ｃ，・・・，４５０ａ，４５０ｂ，４５０ｃ，・・・）の現在の情報である第３情報が受信される第４ステップと、
前記第２送受信装置（４０ａ，４０ｂ，４０ｃ，・・・）から前記情報共有装置（２０ａ，２０ｂ，２０ｃ，・・・）へ前記第３情報が伝送される第５ステップと、
前記第２情報が前記第３情報により更新される第６ステップと、
を備えた情報伝送方法。
【請求項９】
複数の空調機器（５０ａ，５０ｂ，５０ｃ，・・・，４５０ａ，４５０ｂ，４５０ｃ，・・・）に接続された複数のネットワークである第１ネットワーク群（８０，４８０）と、前記第１ネットワーク群（８０，４８０）とは通信方式及び通信速度の少なくとも一方が異なるネットワークである第２ネットワーク（７０，４７０，５７０）とを接続する複数のネットワークノードであるネットワークノード群（１０，４１０，５１０）において前記第２ネットワーク（７０，４７０，５７０）を経由した送受信を行う複数の第１送受信装置（３０ａ，３０ｂ，３０ｃ，・・・）が行う通信方法であって、
通信間隔（２１１，２１６）から決まる通信制御情報（２１１，２１６，２１０，２１２，）を決める送受信装置である単一の親機（３０ａ，３０ｂ，３０ｃ，・・・）から、前記親機（３０ａ，３０ｂ，３０ｃ，・・・）を有するネットワークノードである第１ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている前記複数の空調機器（５０ａ，５０ｂ，５０ｃ，・・・，４５０ａ，４５０ｂ，４５０ｃ，・・・）の情報のうち少なくとも一部の空調機器の情報である第１情報と前記通信制御情報（２１１，２１６，２１０，２１２，）とが、前記第２ネットワーク（７０，４７０，５７０）を通じて同報通信で送信される親機送信ステップと、
前記親機（３０ａ，３０ｂ，３０ｃ，・・・）からの通信に応じて返信を行う送受信機である一以上の子機（３０ａ，３０ｂ，３０ｃ，・・・）において、前記通信制御情報（２１１，２１６，２１０，２１２，）と前記第１情報とが、前記第２ネットワーク（７０，４７０，５７０）を通じて受信される子機受信ステップと、
前記通信制御情報（２１１，２１６，２１０，２１２，）から決まり子機（３０ａ，３０ｂ，３０ｃ，・・・）ごとに互いに異なる返信遅延時間（２１０，２１２，）を経過した後に、前記子機（３０ａ，３０ｂ，３０ｃ，・・・）を有するネットワークノードである第２ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている前記複数の空調機器（５０ａ，５０ｂ，５０ｃ，・・・，４５０ａ，４５０ｂ，４５０ｃ，・・・）の情報のうち少なくとも一部の空調機器の情報である第２情報が、前記第２ネットワーク（７０，４７０，５７０）を通じて同報通信で前記子機（３０ａ，３０ｂ，３０ｃ，・・・）から送信される子機送信ステップと、
を備えた通信方法。
【請求項１０】
複数の空調機器（５０ａ，５０ｂ，５０ｃ，・・・，４５０ａ，４５０ｂ，４５０ｃ，・・・）に接続された複数のネットワークである第１ネットワーク群（８０，４８０）と、前記第１ネットワーク群（８０，４８０）とは通信方式及び通信速度の少なくとも一方が異なるネットワークである第２ネットワーク（７０，４７０，５７０）とを接続する複数のネットワークノードであるネットワークノード群（１０，４１０，５１０）のいずれかのネットワークノード（１０ａ，１０ｂ，１０ｃ，・・・，４１０ａ，４１０ｂ，４１０ｃ，・・・，５１０ａ，５１０ｂ，５１０ｃ，・・・）であって、
複数の空調機器（５０ａ，５０ｂ，５０ｃ，・・・，４５０ａ，４５０ｂ，４５０ｃ，・・・）の情報を第１ネットワーク群（８０，４８０）の複数のネットワークについて共有する情報共有装置（２０ａ，２０ｂ，２０ｃ，・・・）と、前記第２ネットワーク（７０，４７０，５７０）を経由した送受信を行う第１送受信装置（３０ａ，３０ｂ，３０ｃ，・・・）と、
前記第１ネットワーク群（８０，４８０）のいずれかのネットワークを経由した送受信を行う第２送受信装置（４０ａ，４０ｂ，４０ｃ，・・・）と、
を備えたネットワークノード（１０ａ，１０ｂ，１０ｃ，・・・，４１０ａ，４１０ｂ，４１０ｃ，・・・，５１０ａ，５１０ｂ，５１０ｃ，・・・）。
【請求項１１】
複数の空調機器（５０ａ，５０ｂ，５０ｃ，・・・，４５０ａ，４５０ｂ，４５０ｃ，・・・）に接続された複数のネットワークである第１ネットワーク群（８０，４８０）と、前記第１ネットワーク群（８０，４８０）とは通信方式及び通信速度の少なくとも一方が異なるネットワークである第２ネットワーク（７０，４７０，５７０）とを接続する複数のネットワークノードであるネットワークノード群（１０，４１０，５１０）のいずれかのネットワークノードである第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第２ネットワーク（７０，４７０，５７０）を経由した送受信を行う送受信装置（３０ａ，３０ｂ，３０ｃ，・・・）であって、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている複数の空調機器（５０ａ，５０ｂ，５０ｃ，・・・，４５０ａ，４５０ｂ，４５０ｃ，・・・）の直前の情報のうち少なくとも一部の空調機器の情報である第１情報を受け、前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）とは異なるネットワークノードである第２ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている複数の空調機器（５０ａ，５０ｂ，５０ｃ，・・・，４５０ａ，４５０ｂ，４５０ｃ，・・・）の直前の情報のうち少なくとも一部の空調機器の情報である第２情報を渡す受渡部（３１ａ，３１ｂ，３１ｃ，・・・）と、
前記第２ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第２ネットワーク（７０，４７０，５７０）を経由した送受信を行う他の送受信装置（３０ａ，３０ｂ，３０ｃ，・・・）へ前記第２ネットワーク（７０，４７０，５７０）経由で前記第１情報を送信し、前記他の送受信装置（３０ａ，３０ｂ，３０ｃ，・・・）から前記第２ネットワーク（７０，４７０，５７０）経由で前記第２情報を受信する送受信部（３２ａ，３２ｂ，３２ｃ，・・・）と、
を備えた送受信装置（３０ａ，３０ｂ，３０ｃ，・・・）。
【請求項１２】
複数の空調機器（５０ａ，５０ｂ，５０ｃ，・・・，４５０ａ，４５０ｂ，４５０ｃ，・・・）に接続された複数のネットワークである第１ネットワーク群（８０，４８０）と、前記第１ネットワーク群（８０，４８０）とは通信方式及び通信速度の少なくとも一方が異なるネットワークである第２ネットワーク（７０，４７０，５７０）とを接続する複数のネットワークノードであるネットワークノード群（１０，４１０，５１０）のいずれかのネットワークノードである第１ネットワークノード（１０ａ，１０ｂ，１０ｃ，・・・，４１０ａ，４１０ｂ，４１０ｃ，・・・，５１０ａ，５１０ｂ，５１０ｃ，・・・）に用いられる情報共有装置（２０ａ，２０ｂ，２０ｃ，・・・）であって、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において複数の空調機器（５０ａ，５０ｂ，５０ｃ，・・・，４５０ａ，４５０ｂ，４５０ｃ，・・・）の直前の情報である第１情報を第１ネットワーク群（８０，４８０）の複数のネットワークについて共有する共有部（２３ａ，２３ｂ，２３ｃ，・・・）と、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第２ネットワーク（７０，４７０，５７０）を経由した送受信を行う第１送受信装置（３０ａ，３０ｂ，３０ｃ，・・・）へ前記第１情報のうち少なくとも一部の空調機器の情報を渡し、前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）とは異なるネットワークノードである第２ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている複数の空調機器（５０ａ，５０ｂ，５０ｃ，・・・，４５０ａ，４５０ｂ，４５０ｃ，・・・）の直前の情報のうち少なくとも一部の空調機器の情報である第２情報を前記第１送受信装置（３０ａ，３０ｂ，３０ｃ，・・・）から受ける第１受渡部（２１ａ，２１ｂ，２１ｃ，・・・）と、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第１ネットワーク群（８０，４８０）のいずれかのネットワークを経由した送受信を行う第２送受信装置（４０ａ，４０ｂ，４０ｃ，・・・）へ前記第１情報のうち少なくとも一部の空調機器の情報を渡し、前記第２送受信装置（４０ａ，４０ｂ，４０ｃ，・・・）から前記複数の空調機器（５０ａ，５０ｂ，５０ｃ，・・・，４５０ａ，４５０ｂ，４５０ｃ，・・・）の現在の情報のうち少なくとも一部の空調機器の情報である第３情報を受ける第２受渡部（２２ａ，２２ｂ，２２ｃ，・・・）と、
を備え、
前記第１情報は、前記第２情報や前記第３情報により更新される、
情報共有装置（２０ａ，２０ｂ，２０ｃ，・・・）。
【請求項１３】
通信方式及び通信速度の少なくとも一方が異なる複数のネットワーク（８０，４８０，７０，４７０，５７０）を接続するネットワークノード（１０ａ，１０ｂ，１０ｃ，・・・，４１０ａ，４１０ｂ，４１０ｃ，・・・，５１０ａ，５１０ｂ，５１０ｃ，・・・）にネットワーク（８０ａ，８０ｂ，８０ｃ，・・・，４８０ａ，４８０ｂ，４８０ｃ，・・・）を介して接続された空調機器（５０ａ，５０ｂ，５０ｃ，・・・，４５０ａ，４５０ｂ，４５０ｃ，・・・）であって、
前記ネットワークノード（１０ａ，１０ｂ，１０ｃ，・・・，４１０ａ，４１０ｂ，４１０ｃ，・・・，５１０ａ，５１０ｂ，５１０ｃ，・・・）に提供するために、現在の情報である第１情報を収集する情報収集部（５２ａ，５２ｂ，５２ｃ，・・・）と、
前記ネットワークノード（１０ａ，１０ｂ，１０ｃ，・・・，４１０ａ，４１０ｂ，４１０ｃ，・・・，５１０ａ，５１０ｂ，５１０ｃ，・・・）において前記ネットワーク（８０ａ，８０ｂ，８０ｃ，・・・，４８０ａ，４８０ｂ，４８０ｃ，・・・）を経由した送受信を行う第２送受信装置（４０ａ，４０ｂ，４０ｃ，・・・）から、前記ネットワーク（８０ａ，８０ｂ，８０ｃ，・・・）とは通信方式及び通信速度が同じである複数のネットワーク（８０ａ，８０ｂ，８０ｃ，・・・，４８０ａ，４８０ｂ，４８０ｃ，・・・）について共有されている情報の少なくとも一部の情報である第２情報を前記ネットワーク（８０ａ，８０ｂ，８０ｃ，・・・，４８０ａ，４８０ｂ，４８０ｃ，・・・）経由で受信し、前記第２送受信装置（４０ａ，４０ｂ，４０ｃ，・・・）へ前記第１情報を前記ネットワーク（８０ａ，８０ｂ，８０ｃ，・・・，４８０ａ，４８０ｂ，４８０ｃ，・・・）経由で送信する送受信部（５１ａ，５１ｂ，５１ｃ，・・・）と、を備えた空調機器（５０ａ，５０ｂ，５０ｃ，・・・）。
【請求項１４】
複数の空調機器（５０ａ，５０ｂ，５０ｃ，・・・，４５０ａ，４５０ｂ，４５０ｃ，・・・）に接続された複数のネットワークである第１ネットワーク群（８０，４８０）と、前記第１ネットワーク群（８０，４８０）とは通信方式及び通信速度の少なくとも一方が異なるネットワークである第２ネットワーク（７０，４７０，５７０）とを接続する複数のネットワークノードであるネットワークノード群（１０，４１０，５１０）のいずれかのネットワークノードである第１ネットワークノード（１０ａ，１０ｂ，１０ｃ，・・・，４１０ａ，４１０ｂ，４１０ｃ，・・・，５１０ａ，５１０ｂ，５１０ｃ，・・・）に前記第１ネットワーク群（８０，４８０）のいずれかのネットワークである第３ネットワーク（８０ａ，８０ｂ，８０ｃ，・・・，４８０ａ，４８０ｂ，４８０ｃ，・・・）を介して接続された集中制御装置（６０，４６０）であって、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において第１ネットワーク群（８０，４８０）の複数のネットワークについて共有されている複数の空調機器（５０ａ，５０ｂ，５０ｃ，・・・，４５０ａ，４５０ｂ，４５０ｃ，・・・）の情報のうち少なくとも一部の空調機器の情報である第１情報に基づいて、前記複数の空調機器のうち１以上の空調機器である制御対象空調機器（５０ａ，５０ｂ，５０ｃ，・・・，４５０ａ，４５０ｂ，４５０ｃ，・・・）を集中して制御するための情報である集中制御情報を生成する制御部（６２）と、
前記第１ネットワークノード（１０ａ，１０ｂ，１０ｃ，・・・，４１０ａ，４１０ｂ，４１０ｃ，・・・，５１０ａ，５１０ｂ，５１０ｃ，・・・）において前記第３ネットワーク（８０ａ，８０ｂ，８０ｃ，・・・，４８０ａ，４８０ｂ，４８０ｃ，・・・）を経由した送受信を行う第２送受信装置（４０ａ，４０ｂ，４０ｃ，・・・）から前記第３ネットワーク（８０ａ，８０ｂ，８０ｃ，・・・，４８０ａ，４８０ｂ，４８０ｃ，・・・）経由で前記第１情報を受信し、前記制御対象空調機器（５０ａ，５０ｂ，５０ｃ，・・・，４５０ａ，４５０ｂ，４５０ｃ，・・・）から前記第３ネットワーク（８０ａ，８０ｂ，８０ｃ，・・・，４８０ａ，４８０ｂ，４８０ｃ，・・・）経由で前記制御対象空調機器（５０ａ，５０ｂ，５０ｃ，・・・，４５０ａ，４５０ｂ，４５０ｃ，・・・）の現在の情報のうち少なくとも一部の空調機器の情報である第２情報を受信し、前記制御対象空調機器（５０ａ，５０ｂ，５０ｃ，・・・，４５０ａ，４５０ｂ，４５０ｃ，・・・）へ前記第１ネットワーク群（８０，４８０）のいずれかのネットワーク及び前記第２ネットワーク（７０，４７０，５７０）及び前記第３ネットワーク（８０ａ，８０ｂ，８０ｃ，・・・，４８０ａ，４８０ｂ，４８０ｃ，・・・）の少なくとも１つを経由して前記集中制御情報を送信し、前記第２送受信装置（４０ａ，４０ｂ，４０ｃ，・・・）へ前記第３ネットワーク（８０ａ，８０ｂ，８０ｃ，・・・，４８０ａ，４８０ｂ，４８０ｃ，・・・）経由で前記第２情報を送信する送受信部（６１）と、
を備えた集中制御装置（６０，４６０）。
【発明の詳細な説明】
【０００１】
【発明の属する技術分野】
本発明は、管理制御システムに関する。特に、複数の空調機器を管理制御するのに好適な管理制御システムに関する。
【０００２】
【従来の技術】
従来、通信方式及び通信速度の少なくとも一方が異なる複数のネットワークを接続する場合、そのネットワークノードにバッファを設けていた（例えば、特許文献１参照。）。これは、通信方式及び通信速度の少なくとも一方の相違をバッファで吸収して、データの伝送を行うためである。
【０００３】
すなわち、通信方式が異なる場合において、ネットワークノードに送られてきたデータをそのまま異なる通信方式のデータに変換するには一定の時間を要する。そのため次々にネットワークノードに送られてきたデータをバッファで一時的にストックしておく必要が生じる。
また、通信速度が異なる場合において、通信速度の速いネットワークから通信速度の遅いネットワークにデータを伝送する場合に、ネットワークノードでデータの渋滞が発生する。そのため次々にネットワークノードに送られてきたデータをバッファで一時的にストックしておく必要が生じる。
【０００４】
【特許文献１】
特開２００１−１６２０４号公報（第１２−２９項、図５−図７、図１１、図１９）
【０００５】
【発明が解決しようとする課題】
しかし、通信方式及び通信速度の少なくとも一方の相違をバッファで吸収してデータの伝送を行う方法では、バッファの容量が有限であるため、バッファが満杯のときの貯蔵要求とバッファが空のときの取り出し要求とにおいて、無駄な待ち時間が生じてしまい伝送効率が低減することがある。すなわち、バッファが満杯のときの貯蔵要求が来ると、その貯蔵要求の実行が一時中断され、バッファからの別の取り出し要求が来てその実行を完了するまでその貯蔵要求が待たされることがある。また、バッファが空のとき取り出し要求が来ると、その取り出し要求の実行が一時中断され、バッファへの別の貯蔵要求が来てその実行を完了するまでその取り出し要求が待たされることがある。
【０００６】
そこで、本発明の課題は、通信方式及び通信速度の少なくとも一方が異なる複数のネットワークを接続する場合でも伝送効率が低減することを回避することができる管理制御システムを提供することにある。
【０００７】
【課題を解決するための手段】
請求項１に係る管理制御システムは、複数の空調機器を管理制御するための管理制御システムであって、第１ネットワーク群と、第２ネットワークと、ネットワークノード群とを備える。第１ネットワーク群は、複数の空調機器に接続された複数のネットワークである。第２ネットワークは、第１ネットワーク群とは通信方式及び通信速度の少なくとも一方が異なるネットワークである。ネットワークノード群は、第１ネットワーク群と第２ネットワークとを接続する複数のネットワークノードである。ネットワークノード群の各ネットワークノードは、情報共有装置を有する。情報共有装置は、複数の空調機器の情報を第１ネットワーク群の複数のネットワークについて共有する。
【０００８】
この管理制御システムでは、情報共有装置が、複数の空調機器の情報を第１ネットワーク群の複数のネットワークについて共有する。ネットワークノード群の各ネットワークノードは、第２ネットワークを通じて他のネットワークノードと複数の空調機器の少なくとも一部の情報を送受信する。ネットワークノード群の各ネットワークノードは、第１ネットワークを通じて複数の空調機器の情報のうち少なくとも一部の空調機器の情報を複数の空調機器の少なくとも一部の空調機器と送受信する。第１ネットワーク群と第２ネットワークとは通信方式及び通信速度の少なくとも一方が異なる。
【０００９】
ここでは、第１ネットワーク群と第２ネットワークとの通信方式及び通信速度の少なくとも一方が異なるため、第１ネットワーク群と第２ネットワークとを接続する部分で伝送効率が低減する可能性が発生するが、複数の空調機器の情報を共有して少なくともその一部を送受信するため、伝送効率が低減することを回避することができる。
【００１０】
なお、「通信」とは、ネットワークを通じた情報の受渡を含む。「伝送」とは、ネットワークノード内の情報の受渡を含む。「伝送」は、さらに「通信」を含んでもよい。ネットワークノードが他のネットワークノードと送受信する情報は、第１ネットワーク群及び第２ネットワークの少なくとも一方により接続された全ての空調機器の情報だけでなく、管理制御における特定のグループの情報も含む。ネットワークノードが複数の空調機器の少なくとも一部の空調機器と送受信する情報は、第１ネットワーク群及び第２ネットワークの少なくとも一方により接続された全ての空調機器の情報だけでなく、管理制御における特定のグループの情報も含む。
【００１１】
請求項２に係る管理制御システムは、請求項１に記載の管理制御システムであって、ネットワークノード群の各ネットワークノードは、第１送受信装置と、第２送受信装置とを有している。第１送受信装置は、第２ネットワークを経由した送受信を行う。第２送受信装置は、第１ネットワーク群のいずれかのネットワークを経由した送受信を行う。第１送受信装置と第２送受信装置とは、互いに非同期で送受信を行う。情報共有装置は、第１ネットワーク群のいずれかのネットワークのデータと第２ネットワークのデータとを共通のフォーマットに変換する。
【００１２】
この管理制御システムでは、第１ネットワーク群のいずれかのネットワークのデータは、第２送受信装置で受信される。そのデータは、第２送受信装置から情報共有装置へ伝送され、情報共有装置で共通のフォーマットに変換される。また、第２ネットワークのデータは、第１送受信装置で受信される。そのデータは、第１送受信装置から情報共有装置へ伝送され、情報共有装置で共通のフォーマットに変換される。第１ネットワーク群のいずれかのネットワークのデータが第２送受信装置で送受信されるタイミングと第２ネットワークのデータが第１送受信装置で送受信されるタイミングとは、互いに非同期である。
【００１３】
したがって、通信方式及び通信速度の少なくとも一方の異なるデータの伝送を円滑に行うことができる。
請求項３に係る管理制御システムは、請求項１又は２に記載の管理制御システムであって、情報共有装置は、複数の空調機器のアドレス情報と複数の空調機器の制御情報とを共有している。
【００１４】
この管理制御システムでは、情報共有装置が複数の空調機器のアドレス情報及び複数の空調機器の制御情報を共有している。複数の空調機器のアドレス情報及び複数の空調機器の制御情報が、情報共有装置から第２送受信装置へ伝送され、第２送受信装置から複数の空調機器へ第１ネットワーク群のいずれかのネットワークを経由して送信される。また、複数の空調機器のアドレス情報及び複数の空調機器の制御情報が、複数の空調機器から第２送受信装置で第１ネットワーク群のいずれかのネットワークを経由して受信され、第２送受信装置から情報共有装置へ伝送される。
【００１５】
このため、複数の空調機器が管理制御される。
請求項４に係る管理制御システムは、請求項２又は３のいずれかに記載の管理制御システムであって、第１ネットワーク群及び第２ネットワークのいずれか一方は無線回線であり、複数の第１送受信装置及び複数の第２送受信装置のいずれか一方は無線送受信装置である。
【００１６】
この管理制御システムでは、第１ネットワーク群が無線回線で第２ネットワークが有線回線の場合は、複数の第２送受信装置が無線送受信装置で複数の第１送受信装置が有線送受信装置である。あるいは、第１ネットワーク群が有線回線で第２ネットワークが無線回線の場合は、複数の第２送受信装置が有線送受信装置で複数の第１送受信装置が無線送受信装置である。
【００１７】
ここでは、無線回線を用いてネットワークを構成しているため、有線回線のみでネットワークを構成する場合に比べて低コストでネットワークを構成することができる。
請求項５に係る管理制御システムは、請求項２から４のいずれかに記載の管理制御システムであって、複数の第１送受信装置は、単一の親機と、一以上の子機とを有している。親機は、通信制御情報を決める送受信装置である。通信制御情報は、通信間隔から決まる。子機は、親機からの通信に応じて返信を行う送受信装置である。親機が子機に対して同報通信を行うと、返信遅延時間を経過した後に子機は同報通信を行う。返信遅延時間は、通信制御情報から決まり子機ごとに互いに異なる。
【００１８】
この管理制御システムでは、親機が通信制御情報を決める。親機は、子機に対して同報通信を行い、複数の空調機器の情報のうち少なくとも一部の空調機器の情報とともに通信制御情報を送信する。子機は、親機から同報通信を受け取ってから返信遅延時間を経過した後に同報通信を行い、複数の空調機器の情報のうち少なくとも一部の空調機器の情報を送信する。返信遅延時間は、子機ごとに互いに異なる。
【００１９】
したがって、通信信号の衝突が起こらないため、親機や子機において伝送効率が低減することを回避することができる。
なお、返信遅延時間を子機で算出する場合は、通信制御情報は通信間隔を含む。返信遅延時間を親機で算出する場合は、通信制御情報は返信遅延時間を含む。返信遅延時間は、通信の順番及び通信間隔などから算出される。通信の順番は、親機を有するネットワークノードにおける情報共有装置と子機を有するネットワークノードにおける情報共有装置とに記憶されていてもよく、親機を有するネットワークノードにおける情報共有装置にのみ記憶されていて子機へ同報通信で送信してもよい。親機を有するネットワークノードにおける情報共有装置にのみ記憶されていて子機へ同報通信で送信する場合は、通信制御情報は通信の順番を含む。
【００２０】
請求項６に係る管理制御システムは、請求項２から５のいずれかに記載の管理制御システムであって、第１送受信装置は、受信した情報の送信元アドレスを変更せずに他の第１送受信装置へ受信した情報を転送する。
この管理制御システムでは、別の第１送受信装置から第１送受信装置が情報を受信する。第１送受信装置は、別の第１送受信装置から受信した情報をその送信元アドレスを変更せずに他の第１送受信装置へ転送する。その情報は、他の第１送受信装置で受信された際に、別の第１送受信装置から直接送信されたものと認識されることが可能である。
【００２１】
したがって、第１送受信装置は送信可能範囲を広げることができる。
なお、第１送受信装置と別の第１送受信装置と他の第１送受信装置とは、いずれも異なる送受信装置である。
請求項７に係る管理制御システムは、請求項１から６のいずれかに記載の管理制御システムであって、集中制御装置をさらに備える。集中制御装置は、１以上の空調機器を集中して管理制御する。集中制御装置は、第１ネットワーク群のいずれかのネットワークを通じて第２送受信装置から１以上の空調機器の情報を受信し、第１ネットワーク群及び第２ネットワークの少なくとも一方のネットワークを通じて、１以上の空調機器に、集中制御情報を送信する。集中制御情報は、１以上の空調機器を集中して制御する情報である。
【００２２】
この管理制御システムでは、集中制御装置は、第１ネットワーク群のいずれかのネットワークを通じて第２送受信装置で１以上の空調機器の直前の情報を受信し、第１ネットワーク群及び第２ネットワークの少なくとも一方のネットワークを通じて１以上の空調機器へ集中制御情報を送信する。また、集中制御装置は、第１ネットワーク群のいずれかのネットワークを通じて複数の空調機器から１以上の空調機器の現在の情報を受信し、第１ネットワーク群のいずれかのネットワークを通じて第２送受信装置へ１以上の空調機器の現在の情報を転送する。
【００２３】
このため、空調機器の管理制御を効率的に行うことができる。
請求項８に係る情報伝送方法は、第１ネットワークノードにおける情報伝送方法であって、第１ステップと、第２ステップと、第３ステップと、第４ステップと、第５ステップと、第６ステップとを備える。第１ネットワークノードは、ネットワークノード群のいずれかのネットワークノードである。ネットワークノード群は、第１ネットワーク群と、第２ネットワークとを接続する複数のネットワークノードである。第１ネットワーク群は、複数の空調機器に接続された複数のネットワークである。第２ネットワークは、第１ネットワーク群とは通信方式及び通信速度の少なくとも一方が異なるネットワークである。第１ステップでは、第１送受信装置で、第２ネットワークを通じて、第１情報が受信される。第１送受信装置は、第１ネットワークノードにおいて第２ネットワークを経由した送受信を行う。第１情報は、第２ネットワークノードにおいて第１ネットワーク群の複数のネットワークについて共有されている複数の空調機器の直前の情報のうち少なくとも一部の空調機器の情報である。第２ネットワークノードは、第１ネットワークノードとは異なるネットワークノードである。第２ステップでは、第１送受信装置から、情報共有装置へ第１情報が伝送される。情報共有装置は、第１ネットワークノードにおいて第２情報を第１ネットワーク群の複数のネットワークについて共有する。第２情報は、複数の空調機器の直前の情報である。第３ステップでは、第２情報が第１情報により更新される。第４ステップでは、第２送受信装置で、第３ネットワークを通じて、第３情報が受信される。第２送受信装置は、第１ネットワークノードにおいて第３ネットワークを経由した送受信を行う。第３ネットワークは、第１ネットワーク群のいずれかのネットワークである。第３情報は、複数の空調機器のうち第１ネットワークノードに第３ネットワークで接続された１以上の空調機器の現在の情報である。第５ステップでは、第２送受信装置から情報共有装置へ第３情報が伝送される。第６ステップでは、第２情報が第３情報により更新される。
【００２４】
この情報伝送方法では、第２ネットワークノードにおける第１送受信装置から第２ネットワークを通じて送られてきた第１情報が、第１ステップで第１ネットワークノードにおける第１送受信装置に受信される。その第１情報は、第２ステップで第１ネットワークノードにおける第１送受信装置から第１ネットワークノードにおける情報共有装置へ伝送される。第２情報は、第３ステップで第１情報により更新される。第１ネットワークノードにおける第２送受信装置に第３ネットワークを通じて送られてきた第３情報が、第４ステップで第１ネットワークノードにおける第２送受信装置に受信される。その第３情報は、第５ステップで第１ネットワークノードにおける第２送受信装置から情報共有装置へ伝送される。第２情報は、第６ステップで第３情報により更新される。
【００２５】
したがって、複数のネットワークノードに接続された空調機器の情報が情報共有装置で共有されて、その情報共有装置の情報の少なくとも一部の情報が送受信されるので、通信方式及び通信速度の少なくとも一方が異なる複数のネットワークを接続する場合でも伝送効率が低減することを回避することができる。
なお、上記の「直前の情報」とは、例えば、何回か更新された情報のうち、一番最近に更新された情報のことである。
【００２６】
請求項９に係る通信方法は、ネットワークノード群において第２ネットワークを経由した送受信を行う複数の第１送受信装置が行う通信方法であって、親機送信ステップと、子機受信ステップと、子機送信ステップとを備える。ネットワークノード群は、第１ネットワーク群と、第２ネットワークとを接続する複数のネットワークノードである。第１ネットワーク群は、複数の空調機器に接続された複数のネットワークである。第２ネットワークは、第１ネットワーク群とは通信方式及び通信速度の少なくとも一方が異なるネットワークである。親機送信ステップでは、単一の親機から、第１情報と通信制御情報とが、第２ネットワークを通じて同報通信で送信される。親機は、通信制御情報を決める送受信装置である。通信制御情報は、通信間隔から決まる。第１情報は、第１ネットワークノードにおいて第１ネットワーク群の複数のネットワークについて共有されている複数の空調機器の情報のうち少なくとも一部の空調機器の情報である。第１ネットワークノードは、親機を有するネットワークノードである。子機受信ステップでは、一以上の子機において、通信制御情報と第１情報とが、第２ネットワークを通じて受信される。子機は、親機からの通信に応じて返信を行う送受信機である。子機送信ステップでは、返信遅延時間を経過した後に、第２情報が、第２ネットワークを通じて同報通信で子機から送信される。返信遅延時間は、通信制御情報から決まり子機ごとに互いに異なる。第２情報は、第２ネットワークノードにおいて第１ネットワーク群の複数のネットワークについて共有されている複数の空調機器の情報のうち少なくとも一部の空調機器の情報である。第２ネットワークノードは、子機を有するネットワークノードである。
【００２７】
この通信方法では、親機が決めた通信制御情報と第１情報とは、親機送信ステップで第２ネットワークを通じて子機へ同報通信で送信される。子機は、子機受信ステップで第２ネットワークを通じて親機から通信制御情報と第１情報とを受信する。子機は、子機送信ステップで返信遅延時間を経過したあと、第２情報を同報通信で送信する。返信遅延時間は、子機ごとに互いに異なる。
【００２８】
したがって、通信信号の衝突が起こらないため、通信方式及び通信速度の少なくとも一方が異なる複数のネットワークを接続する場合でも伝送効率が低減することを回避することができる。
なお、返信遅延時間を子機で算出する場合は、通信制御情報は通信間隔を含む。返信遅延時間を親機で算出する場合は、通信制御情報は返信遅延時間を含む。返信遅延時間は、通信の順番及び通信間隔などから算出される。通信の順番は、親機を有するネットワークノードにおける情報共有装置と子機を有するネットワークノードにおける情報共有装置とに記憶されていてもよく、親機を有するネットワークノードにおける情報共有装置にのみ記憶されていて子機へ同報通信で送信してもよい。親機を有するネットワークノードにおける情報共有装置にのみ記憶されていて子機へ同報通信で送信する場合は、通信制御情報は通信の順番を含む。
【００２９】
請求項１０に係るネットワークノードは、ネットワークノード群のいずれかのネットワークノードであって、情報共有装置と、第１送受信装置と、第２送受信装置とを備える。ネットワークノード群は、第１ネットワーク群と、第２ネットワークとを接続する複数のネットワークノードである。第１ネットワーク群は、複数の空調機器に接続された複数のネットワークである。第２ネットワークは、第１ネットワーク群とは通信方式及び通信速度の少なくとも一方が異なるネットワークである。情報共有装置は、複数の空調機器の情報を第１ネットワーク群の複数のネットワークについて共有する。第１送受信装置は、第２ネットワークを経由した送受信を行う。第２送受信装置は、第１ネットワーク群のいずれかのネットワークを経由した送受信を行う。
【００３０】
このネットワークノードでは、複数の空調機器の直前の情報のうち少なくとも一部の空調機器の情報が、情報共有装置から第１送受信装置へ伝送され、第１送受信装置で互いに送受信されることが可能である。また、複数の空調機器の現在の情報のうち少なくとも一部の空調機器の情報が、第２送受信装置により受信され、第２送受信装置から情報共有装置へ伝送されることが可能である。
【００３１】
したがって、通信方式及び通信速度の少なくとも一方が異なる複数のネットワークを接続する場合でも伝送効率が低減することを回避することができる。
請求項１１に係る送受信装置は、第１ネットワークノードにおいて第２ネットワークを経由した送受信を行う送受信装置であって、受渡部と、送受信部とを備える。第１ネットワークノードは、ネットワークノード群のいずれかのネットワークノードである。ネットワークノード群は、第１ネットワーク群と、第２ネットワークとを接続する複数のネットワークノードである。第１ネットワーク群は、複数の空調機器に接続された複数のネットワークである。第２ネットワークは、第１ネットワーク群とは通信方式及び通信速度の少なくとも一方が異なるネットワークである。受渡部は、第１情報を受け、第２情報を渡す。第１情報は、第１ネットワークノードにおいて第１ネットワーク群の複数のネットワークについて共有されている複数の空調機器の直前の情報のうち少なくとも一部の空調機器の情報である。第２情報は、第２ネットワークノードにおいて第１ネットワーク群の複数のネットワークについて共有されている複数の空調機器の直前の情報のうち少なくとも一部の空調機器の情報である。第２ネットワークノードは、第１ネットワークノードとは異なるネットワークノードである。送受信部は、他の送受信装置へ第２ネットワーク経由で第１情報を送信し、他の送受信装置から第２ネットワーク経由で第２情報を受信する。他の送受信装置は、第２ネットワークノードにおいて第２ネットワークを経由した送受信を行う。
【００３２】
この送受信装置では、第１情報は、第１ネットワークノードにおける情報共有装置から第１ネットワークノードにおける送受信装置の受渡部へ伝送される。第１情報は、第１ネットワークノードにおける送受信装置の送受信部へ伝送される。第１情報は、第１ネットワークノードにおける送受信装置の送受信部において第２ネットワークノードにおける送受信装置へ第２ネットワーク経由で送信される。また、第２情報は、第１ネットワークノードにおける送受信装置の送受信部において第２ネットワークノードにおける送受信装置から第２ネットワーク経由で受信される。第２情報は、第１ネットワークノードにおける送受信装置の送受信部から受渡部へ伝送される。第２情報は、第１ネットワークノードにおける送受信装置の受渡部から第１ネットワークノードにおける情報共有装置へ伝送される。第１ネットワークノードにおける情報共有装置では、第２情報を基に第１情報を更新することができる。
【００３３】
したがって、複数の空調機器の情報を共有して少なくともその一部を送受信するため、通信方式及び通信速度の少なくとも一方が異なる複数のネットワークを接続する場合でも伝送効率が低減することを回避することができる。
請求項１２に係る情報共有装置は、第１ネットワークノードに用いられる情報共有装置であって、共有部と、第１受渡部と、第２受渡部とを備える。第１ネットワークノードは、ネットワークノード群のいずれかのネットワークノードである。ネットワークノード群は、第１ネットワーク群と、第２ネットワークとを接続する複数のネットワークノードである。第１ネットワーク群は、複数の空調機器に接続された複数のネットワークである。第２ネットワークは、第１ネットワーク群とは通信方式及び通信速度の少なくとも一方が異なるネットワークである。共有部は、第１ネットワークノードにおいて第１情報を第１ネットワーク群の複数のネットワークについて共有する。第１情報は、複数の空調機器の直前の情報である。第１受渡部は、第１送受信装置へ第１情報のうち少なくとも一部の空調機器の情報を渡し、第２情報を第１送受信装置から受ける。第１送受信装置は、第１ネットワークノードにおいて第２ネットワークを経由した送受信を行う。第２ネットワークノードは、第１ネットワークノードとは異なるネットワークノードである。第２情報は、第２ネットワークノードにおいて第１ネットワーク群の複数のネットワークについて共有されている複数の空調機器の直前の情報のうち少なくとも一部の空調機器の情報である。第２受渡部は、第２送受信装置へ第１情報のうち少なくとも一部の空調機器の情報を渡し、第２送受信装置から第３情報を受ける。第２送受信装置は、第１ネットワークノードにおいて第１ネットワーク群のいずれかのネットワークを経由した送受信を行う。第３情報は、複数の空調機器の現在の情報のうち少なくとも一部の空調機器の情報である。第１情報は、第２情報や第３情報により更新される。
【００３４】
この情報共有装置では、共有部で第１情報が共有されている。第１情報は、共有部から第１受渡部に伝送され、第１受渡部から第１送受信装置へ伝送される。また第１情報は、共有部から第２受渡部に伝送され、第２受渡部から第２送受信装置へ伝送される。第３情報は、第１送受信装置から第１受渡部へ伝送される。第２情報は、第２送受信装置から第２受渡部へ伝送される。第２情報や第３情報をもとに第１情報が更新される。
【００３５】
このため、複数の空調機器の情報を共有して少なくともその一部を送受信することができるため、通信方式及び通信速度の少なくとも一方が異なる複数のネットワークを接続する場合でも伝送効率が低減することを回避することができる。請求項１３に係る空調機器は、ネットワークノードにネットワークを介して接続された空調機器であって、情報収集部と、送受信部とを備える。ネットワークノードは、通信方式及び通信速度の少なくとも一方が異なる複数のネットワークを接続する。情報収集部は、ネットワークノードに提供するために、第１情報を収集する。第１情報は、現在の情報である。送受信部は、第２送受信装置から、第２情報をネットワーク経由で受信し、第２送受信装置へ第１情報をネットワーク経由で送信する。第２送受信装置は、ネットワークノードにおいてネットワークを経由した送受信を行う。第２情報は、ネットワークとは通信方式及び通信速度が同じである複数のネットワークについて共有されている情報の少なくとも一部の情報である。
【００３６】
この空調機器では、情報収集部は、第２情報を収集し、その第２情報を送受信部へ渡す。送受信部は、第２情報を第２送受信装置に送信するとともに、第１情報を受信する。第２情報は、第２送受信装置から情報共有装置に伝送される。情報共有装置では、第２情報にもとづき第１情報を更新することができる。
このため、複数の空調機器の情報を共有して少なくともその一部を送受信することができるため、通信方式及び通信速度の少なくとも一方が異なる複数のネットワークを接続する場合でも伝送効率が低減することを回避することができる。
【００３７】
請求項１４に係る集中制御装置は、第１ネットワークノードに第３ネットワークを介して接続された集中制御装置であって、制御部と、送受信部とを備える。第１ネットワークノードは、ネットワークノード群のいずれかのネットワークノードである。ネットワークノード群は、第１ネットワーク群と、第２ネットワークとを接続する複数のネットワークノードである。第１ネットワーク群は、複数の空調機器に接続された複数のネットワークである。第２ネットワークは、第１ネットワーク群とは通信方式及び通信速度の少なくとも一方が異なるネットワークである。第３ネットワークは、第１ネットワーク群のいずれかのネットワークである。制御部は、第１情報に基づいて、集中制御情報を生成する。第１情報は、第１ネットワークノードにおいて第１ネットワーク群の複数のネットワークについて共有されている複数の空調機器の情報のうち少なくとも一部の空調機器の情報である。集中制御情報は、制御対象空調機器を集中して制御するための情報である。制御対象空調機器は、複数の空調機器のうち１以上の空調機器である。送受信部は、第２送受信装置から第３ネットワーク経由で第１情報を受信し、制御対象空調機器から第３ネットワーク経由で第２情報を受信し、制御対象空調機器へ第１ネットワーク群のいずれかのネットワーク及び第２ネットワーク及び第３ネットワークの少なくとも１つを経由して集中制御情報を送信し、第２送受信装置へ第３ネットワーク経由で第２情報を送信する。第２送受信装置は、第１ネットワークノードにおいて第３ネットワークを経由した送受信を行う。第２情報は、制御対象空調機器の現在の情報の少なくとも一部の空調機器の情報である。
【００３８】
この集中制御装置では、第１情報は、情報共有装置から第２送受信装置へ伝送され、第２送受信装置から第３ネットワーク経由で送受信部へ送られ、送受信部から制御部へ伝送される。制御部では、第１情報をもとに集中制御情報が生成される。集中制御情報は、制御部から送受信部へ渡され、送受信部から制御対象空調機器へ第１ネットワーク群のいずれかのネットワーク及び第２ネットワーク及び第３ネットワークの少なくとも１つを経由して送信される。第２情報は、複数の空調機器から送受信部へ第３ネットワーク経由で送信され、そのまま第２送受信装置へ転送され、第２送受信装置で受信され、第２送受信装置から情報共有装置へ伝送される。
【００３９】
このため、複数の空調機器の情報を共有して少なくともその一部を送受信することができるため、通信方式及び通信速度の少なくとも一方が異なる複数のネットワークを接続する場合でも伝送効率が低減することを回避することができる。
【００４０】
【発明の実施の形態】
［第１実施形態］
図１に、本発明の第１実施形態にかかる管理制御システム１の構成図を示す。また、本発明の第１実施形態にかかる管理制御システム１の各構成要素の構成図を図２〜図４に示す。この管理制御システム１は、空調機システム群５０（５０ａ，５０ｂ，５０ｃ，・・・）を管理制御するためのシステムである。
【００４１】
＜管理制御システム１の全体構成＞
図１に示す管理制御システムは、主として無線ゲートウェイ群１０（１０ａ，１０ｂ，１０ｃ，・・・）と集中コントローラ６０と空調機システム群５０（５０ａ，５０ｂ，５０ｃ，・・・）と無線ネットワーク７０と有線ネットワーク群８０（８０ａ，８０ｂ，８０ｃ，・・・）とを備える。
【００４２】
無線ゲートウェイ群１０（１０ａ，１０ｂ，１０ｃ，・・・）は互いに無線ネットワーク７０で接続されている。無線ゲートウェイ１０ａと空調機システム５０ａとは、有線ネットワーク８０ａで接続されている。他の無線ゲートウェイ１０ｂ，１０ｃ，・・・と他の空調機システム５０ｂ，５０ｃ，・・・との関係も同様である。
【００４３】
＜無線ゲートウェイ１０ａの構成＞
図２に示すように、無線ゲートウェイ１０ａは、主として情報共有装置２０ａと無線機器３０ａと送受信機４０ａとを備える。
情報共有装置２０ａと無線機器３０ａとは、伝送ケーブル９１ａで接続されている。情報共有装置２０ａと送受信機４０ａとは、伝送ケーブル９２ａで接続されている。
【００４４】
無線機器３０ａは、無線ネットワーク７０に接続されており、他の無線機器３０ｂ、３０ｃ、・・・と情報の送受信を行う。送受信機４０ａは、有線ネットワーク８０ａに接続されており、集中コントローラ６０や空調機システム５０ａと情報の送受信を行う。無線機器３０ａにおける送受信と送受信機４０ａにおける送受信とは非同期で行われる。
【００４５】
他の無線ゲートウェイ１０ｂ，１０ｃ，・・・も同様の構成である。
＜空調機システム群５０（５０ａ，５０ｂ，５０ｃ，・・・）の構成＞
図１及び図３に示すように、空調機システム群５０（５０ａ，５０ｂ，５０ｃ，・・・）は、主として室外機群５４（５４ａ，５４ｂ，５４ｃ，・・・）と室内機群５３（５３ａ，５３ｂ，５３ｃ，・・・）とを備える。
【００４６】
室外機群５４（５４ａ，５４ｂ，５４ｃ，・・・）と室内機群５３（５３ａ，５３ｂ，５３ｃ，・・・）とは、有線ネットワーク群８０（８０ａ，８０ｂ，８０ｃ，・・・）で接続されている。
＜集中コントローラ６０の構成＞
図４に示すように、集中コントローラ６０は、主として送受信部６１と制御部６２とを備える。
【００４７】
送受信部６１と制御部６２とは、伝送ケーブル１１０で接続されている。
送受信部６１は、ネットワーク８０ａに接続されており、無線ゲートウェイ１０ａや空調機システム５０ａと情報の送受信を行う。また送受信部６１は、ネットワーク８０ａと無線ネットワーク７０とネットワーク８０ｂ，８０ｃ，・・・とを介して、空調機システム５０ｂ、５０ｃ、・・・と情報の送受信を行う。
【００４８】
＜無線ネットワーク７０の構成＞
図１に示すように、無線ネットワーク７０は、無線ゲートウェイ群１０（１０ａ，１０ｂ，１０ｃ，・・・）を互いに接続している。高周波を用いて通信されるネットワークである。
＜有線ネットワーク８０ａ＞
図１に示すように、有線ネットワーク８０ａは、無線ゲートウェイ１０ａと空調機システム５０ａとを接続している。ネットワークケーブルを介して通信されるネットワークである。
【００４９】
他の有線ネットワーク８０ｂ，８０ｃ，・・・も同様の構成である。
なお、他の有線ネットワーク８０ｂ，８０ｃ，・・・と異なり、有線ネットワーク８０ａにのみ集中コントローラ６０が接続されている。
＜情報共有装置２０ａの構成＞
図２に示すように、情報共有装置２０ａは、主として共有部２３ａと第１フォーマット変換部２６ａと第１伝送処理部２２ａと第２フォーマット変換部２７ａと第２伝送処理部２１ａとを備える。
【００５０】
第１伝送処理部２２ａと第１フォーマット変換部２６ａとは、伝送ケーブル９６ａで接続されている。第１フォーマット変換部２６ａと共有部２３ａとは、伝送ケーブル９５ａで接続されている。共有部２３ａと第２フォーマット変換部２７ａとは、伝送ケーブル９４ａで接続されている。第２フォーマット変換部２７ａと第２伝送処理部２１ａとは、伝送ケーブル９３ａで接続されている。
【００５１】
共有部２３ａは、主として空調機データテーブル２８ａを備える。空調機データテーブル２８ａには、主としてアドレス情報２４ａと制御情報２５ａとが記録されている。このアドレス情報２４ａと制御情報２５ａとは、空調機システム群５０（５０ａ，５０ｂ，５０ｃ，・・・）の直前の情報である。「直前の情報」とは、何回か更新された情報のうち、一番最近に更新された情報のことである。
【００５２】
他の情報共有装置２０ｂ、２０ｃ、・・・も同様の構成である。
情報共有装置２０ａ、２０ｂ、２０ｃ、・・・の集まりが情報共有装置群２０である。
＜無線機器３０ａの構成＞
図２に示すように、無線機器３０ａは、主として送受信部３２ａと伝送処理部３１ａとを備える。
【００５３】
送受信部３２ａと伝送処理部３１ａとは、伝送ケーブル９７ａで接続されている。
他の無線機器３０ｂ、３０ｃ、・・・も同様の構成である。
無線機器群３０（３０ａ、３０ｂ、３０ｃ、・・・）は、１つの無線機器を親機として残りの全ての無線機器を子機とする。親機が全ての子機に同報通信で送信すると、子機はそれぞれ受信する。子機は、受信してから後述の返信遅延時間２１０、２１２、・・・が経過したあとに親機と残りの全ての子機とに対して同報通信で返信する。
【００５４】
＜送受信機４０ａの構成＞
図２に示すように、送受信機４０ａは、主として送受信部４２ａと伝送処理部４１ａとを備える。
送受信部４２ａと伝送処理部４１ａとは、伝送ケーブル９８ａで接続されている。
【００５５】
他の送受信機４０ｂ、４０ｃ、・・・も同様の構成である。
送受信機４０ａ、４０ｂ、４０ｃ、・・・の集まりが送受信機群４０である。
＜室外機５４ａの構成＞
図３に示すように、室外機５４ａは、主として送受信部５１ａと情報収集部５２ａとを備える。
【００５６】
送受信部５１ａと情報収集部５２ａとは、伝送ケーブル９９ａで接続されている。
図１に示す他の室外機５４ｂ、５４ｃ、・・・も同様の構成である。
＜空調機データテーブル２８ａの構成＞
図２に示す共有部２３ａに記憶されている空調機データテーブル２８ａは、図５に示すように、主として空調機システム５０ａの情報を記憶する部分と空調機システム５０ｂの情報を記憶する部分と空調機システム５０ｃの情報を記憶する部分と・・・とから構成される。
【００５７】
図５に示す空調機システム５０ａの情報を記憶する部分は、主としてアドレス情報２４ａａと制御情報２５ａａとから構成される。空調機システム５０ｂの情報を記憶する部分は、主としてアドレス情報２４ａｂと制御情報２５ａｂとから構成される。空調機システム５０ｃの情報を記憶する部分は、主としてアドレス情報２４ａｃと制御情報２５ａｃとから構成される。・・・アドレス情報２４ａａ、２４ａｂ、２４ａｃ、・・・の集合が図２に示すアドレス情報２４ａである。制御情報２５ａａ、２５ａｂ、２５ａｃ、・・・の集合が図２に示す制御情報２５ａである。
【００５８】
図５に示すアドレス情報２４ａａは、主として空調機アドレス１５１ａａと通信順アドレス１５２ａａとから構成される。アドレス情報２４ａｂは、主として空調機アドレス１５１ａｂと通信順アドレス１５２ａｂとから構成される。アドレス情報２４ａｃは、主として空調機アドレス１５１ａｃと通信順アドレス１５２ａｃとから構成される。・・・空調機アドレス１５１ａａ、１５１ａｂ、１５１ａｃ、・・・は、空調機システムのＩＤを示すものである。通信順アドレス１５２ａａ、１５２ａｂ、１５２ａｃ、・・・は、０から始まる整数値であり、親機や子機が同報通信する順番を決めるのに利用される。親機は０であり、子機は１以上の整数値を順番に割り当てられる。空調機アドレス１５１ａａ、１５１ａｂ、１５１ａｃ、・・・の集合が、空調機アドレス群１５１ａである。通信順アドレス１５２ａａ、１５２ａｂ、１５２ａｃ、・・・の集合が、通信順アドレス群１５２ａである。
【００５９】
他の空調機データテーブル２８ｂ、２８ｃ、・・・も同様の構成である。なお、通信順アドレス群１５２ｂは、通信順アドレス１５２ｂａ、１５２ｂｂ、１５２ｂｃ、・・・により構成される。通信順アドレス群１５２ｃは、通信順アドレス１５２ｃａ、１５２ｃｂ、１５２ｃｃ、・・・により構成される。・・・
各無線ゲートウェイ１０ａ、１０ｂ、１０ｃ、・・・において更新が行われたあとは、図２に示す空調機データテーブル群２８（２８ａ、２８ｂ、２８ｃ、・・・）は内容が互いに一致している。ただし、各無線ゲートウェイ１０ａ、１０ｂ、１０ｃ、・・・において更新が行われるタイミングに時間差があるため、更新途中では空調機データテーブル群２８（２８ａ、２８ｂ、２８ｃ、・・・）は内容が一時的に互いに一致しなくなる。
【００６０】
＜管理制御システム１が情報を伝送する処理の流れ＞
図１に示す管理制御システム１が情報を伝送する処理の流れを、図６及び図７に示すフローチャートを用いて説明する。
図６に示すステップＳ１では、無線機器３０ｂ、３０ｃ、・・・から送られてきた図１に示す空調機システム５０ｂ、５０ｃ、・・・の情報が、図２に示す無線機器３０ａの送受信部３２ａで受信される。図６に示すステップＳ２では、空調機システム５０ｂ、５０ｃ、・・・の情報が、図２に示す送受信部３２ａから伝送ケーブル９７ａを経由して伝送処理部３１ａへ伝送され、伝送処理部３１ａから伝送ケーブル９１ａを経由して情報共有装置２０ａの第１伝送処理部２２ａへ伝送され、第１伝送処理部２２ａから伝送ケーブル９６ａを経由して第１フォーマット変換部２６ａへ伝送され、第１フォーマット変換部２６ａでネットワーク７０のフォーマットから空調機データテーブル２８ａのフォーマットに変換される。図６に示すステップＳ３では、フォーマット変換後の空調機システム５０ｂ、５０ｃ、・・・の情報が、図２に示す第１フォーマット変換部２６ａから伝送ケーブル９５ａを経由して共有部２３ａへ伝送され、空調機データテーブル２８ａにおける空調機システム５０ｂ、５０ｃ、・・・の情報を記憶する部分に上書きされる。その結果、空調機データテーブル２８ａが更新される。図６に示すステップＳ４では、図１に示す空調機システム５０ａの室外機５４ａから送られてきた空調機システム５０ａの情報が、図２に示す送受信機４０ａの送受信部４２ａで受信される。図６に示すステップＳ５では、図１に示す空調機システム５０ａの情報が、図２に示す送受信部４２ａから伝送ケーブル９８ａを経由して伝送処理部４１ａへ伝送され、伝送処理部４１ａから伝送ケーブル９２ａを経由して情報共有装置２０ａの第２伝送処理部２１ａへ伝送され、第２伝送処理部２１ａから伝送ケーブル９３ａを経由して第２フォーマット変換部２７ａへ伝送され、第２フォーマット変換部２７ａでネットワーク８０ａのフォーマットから空調機データテーブル２８ａのフォーマットに変換される。図６に示すステップＳ６では、フォーマット変換後の空調機システム５０ａの情報が、図２に示す第２フォーマット変換部２７ａから伝送ケーブル９４ａを経由して共有部２３ａへ伝送され、図５に示す空調機データテーブル２８ａにおける空調機システム５０ａの情報を記憶する部分に上書きされる。その結果、空調機データテーブル２８ａが更新される。図６に示すステップＳ７では、図２に示す共有部２３ａの空調機データテーブル２８ａにおける空調機システム５０ａの情報が、共有部２３ａから伝送ケーブル９５ａを経由して第１フォーマット変換部２６ａへ伝送され、第１フォーマット変換部２６ａで空調機データテーブル２８ａのフォーマットからネットワーク７０のフォーマットへ変換される。変換後の空調機システム５０ａの情報が、第１フォーマット変換部２６ａから伝送ケーブル９６ａを経由して第１伝送処理部２２ａへ伝送され、第１伝送処理部２２ａから伝送ケーブル９１ａを経由して伝送処理部３１ａへ伝送され、伝送処理部３１ａから伝送ケーブル９７ａを経由して送受信部３２ａへ伝送される。ステップＳ８（図６，７で示す▲１▼）では、変換後の空調機システム５０ａの情報が、図２で示す送受信部３２ａからネットワーク７０を経由して無線ゲートウェイ１０ｂ，１０ｃ，・・・の無線機器３０ｂ、３０ｃ、・・・の送受信部３２ｂ、３２ｃ、・・・へ送信される。図７に示すステップＳ９では、図２に示す共有部２３ａの空調機システム５０ａの情報が、共有部２３ａから伝送ケーブル９４ａを経由して第２フォーマット変換部２７ａへ伝送され、第２フォーマット変換部２７ａで空調機データテーブル２８ａのフォーマットからネットワーク８０ａのフォーマットへ変換される。変換後の空調機システム５０ａの情報が、第２フォーマット変換部２７ａから伝送ケーブル９３ａを経由して第２伝送処理部２１ａへ伝送され、第２伝送処理部２１ａから伝送ケーブル９２ａを経由して送受信機４０ａの伝送処理部４１ａへ伝送され、伝送処理部４１ａから伝送ケーブル９８ａを経由して送受信部４２ａへ伝送される。図７に示すステップＳ１０では、変換後の空調機システム５０ａの情報が、図２に示す送受信部４２ａから有線ネットワーク８０ａを経由して図４に示す集中コントローラ６０の送受信部６１へ送信される。図７に示すステップＳ１１では、変換後の空調機システム５０ａの情報が、図４に示す集中コントローラ６０の送受信部６１から伝送ケーブル１１０を介して制御部６２へ伝送される。図７に示すステップＳ１２では、集中制御用の情報が図４に示す制御部６２で生成される。図７で示すステップＳ１３では、集中制御用の情報が、図４に示す集中コントローラ６０の制御部６２から伝送ケーブル１１０を介して送受信部６１へ伝送される。図７に示すステップＳ１４では、集中制御用の情報が、図４に示す集中コントローラ６０の送受信部６１からネットワーク８０ａを経由して図３に示す空調機システム５０ａの室外機５４ａへ送信される。図７に示すステップＳ１５では、集中制御用の情報が、図３に示す室外機５４ａの送受信部５１ａで受信され、室内機５３ａ及び室外機５４ａが管理制御される。
【００６１】
＜空調機データテーブル群２８（２８ａ、２８ｂ、２８ｃ、・・・）が更新される処理の流れ＞
図６及び図７に示す管理制御システム１が情報を伝送する処理の流れのステップＳ１〜ステップＳ３及びステップＳ８の詳細を、図８に示す概念図を用いて説明する。
【００６２】
図８では、無線ゲートウェイ１０が無線ゲートウェイ１０ａと無線ゲートウェイ１０ｂと無線ゲートウェイ１０ｃとから構成され、空調機システム群５０が空調機システム５０ａと空調機システム５０ｂと空調機システム５０ｃとから構成され、有線ネットワーク群８０が有線ネットワーク８０ａと有線ネットワーク８０ｂと有線ネットワーク８０ｃとから構成される場合を説明する。図８に示す空調機データテーブル２８ａの情報は、空調機システム５０ａから有線ネットワーク８０ａを経由して送られた空調機システム５０ａの情報に基づき、空調機データテーブル２８ａにおける空調機システム５０ａの情報を記憶する部分（斜線で示す）が更新される。空調機データテーブル２８ａにおける空調機システム５０ａの情報は、無線ゲートウェイ１０ａからネットワーク７０を経由して無線ゲートウェイ１０ｂと無線ゲートウェイ１０ｃとへ送信される。無線ゲートウェイ１０ｂへ送信された情報１００ａにより空調機データテーブル２８ｂが更新され、無線ゲートウェイ１０ｃへ送信された情報１００ｂにより空調機データテーブル２８ｃが更新される。
【００６３】
空調機データテーブル２８ｂの情報は、空調機システム５０ｂから有線ネットワーク８０ｂを経由して送られた空調機システム５０ｂの情報に基づき、空調機データテーブル２８ｂにおける空調機システム５０ｂの情報を記憶する部分（斜線で示す）が更新される。空調機データテーブル２８ｂにおける空調機システム５０ｂの情報は、無線ゲートウェイ１０ｂからネットワーク７０を経由して無線ゲートウェイ１０ａと無線ゲートウェイ１０ｃとへ送信される。無線ゲートウェイ１０ａへ送信された情報１０１ａにより空調機データテーブル２８ａが更新され、無線ゲートウェイ１０ｃへ送信された情報１０１ｂにより空調機データテーブル２８ｃが更新される。
【００６４】
空調機データテーブル２８ｃの情報は、空調機システム５０ｃから有線ネットワーク８０ｃを経由して送られた空調機システム５０ｃの情報に基づき、空調機データテーブル２８ｃにおける空調機システム５０ｃの情報を記憶する部分（斜線で示す）が更新される。空調機データテーブル２８ｃにおける空調機システム５０ｃの情報は、無線ゲートウェイ１０ｃからネットワーク７０を経由して無線ゲートウェイ１０ａと無線ゲートウェイ１０ｂとへ送信される。無線ゲートウェイ１０ａへ送信された情報１０２ａにより空調機データテーブル２８ａが更新され、無線ゲートウェイ１０ｂへ送信された情報１０２ｂにより空調機データテーブル２８ｂが更新される。
【００６５】
＜無線機器群３０（３０ａ、３０ｂ、３０ｃ、・・・）が同報通信する処理の流れ＞
図１及び図２に示す無線ゲートウェイ群１０（１０ａ，１０ｂ，１０ｃ，・・・）の無線機器群３０（３０ａ、３０ｂ、３０ｃ、・・・）が同報通信する処理の流れを、図９に示すフローチャートを用いて説明する。図１に示す無線ゲートウェイ群１０（１０ａ，１０ｂ，１０ｃ，・・・）の図２に示すような無線機器群３０（３０ａ，３０ｂ，３０ｃ，・・・）うち、無線機器３０ａが親機で無線機器３０ｂ、３０ｃ、・・・が子機の場合を説明する。
【００６６】
図９に示すステップＳ３０では、親機３０ａが送信を行う時間間隔である図１０に示す送信間隔時間２１４が算出される。送信間隔時間２１４の算出方法は後述する。図９に示すステップＳ３１では、親機３０ａにより、図１０に示す通信間隔２１１の情報及び図５に示す親機３０ａの空調機データテーブル２８ａにおける空調機システム５０ａの情報が、同報通信で全ての子機３０ｂ、３０ｃ、・・・に送信される。図９に示すステップＳ３２では、親機３０ａから同報通信された図１０に示す通信間隔２１１の情報及び図５に示す空調機システム５０ａの情報が、各子機３０ｂ、３０ｃ、・・・により受信される。図９に示すステップＳ３３では、親機３０ａの同報通信を子機３０ｂ、３０ｃ、・・・が受信してから子機３０ｂ、３０ｃ、・・・が返信を行う時間間隔である図１０に示す返信遅延時間２１０、２１２、・・・が各子機３０ｂ、３０ｃ、・・・において算出される。返信遅延時間２１０、２１２、・・・の算出方法は後述する。図９に示すステップＳ３４では、親機３０ａからの同報通信を受信してから自らに割り当てられた返信遅延時間２１０、２１２、・・・を経過しているかが、各子機３０ｂ、３０ｃ、・・・において判断される。返信遅延時間２１０、２１２、・・・を経過していないと判断されればステップＳ３４へ進み、返信遅延時間２１０、２１２、・・・を経過していると判断されればステップＳ３５へ進む。図９に示すステップＳ３５では、図５に示すような子機３０ｂ、３０ｃ、・・・の空調機データテーブル２８ｂ、２８ｃ、・・・における空調機システム５０ｂ、５０ｃ、・・・の情報が、親機３０ａと他の全ての子機３０ｂ、３０ｃ、・・・とへ同報通信で送信される。ステップＳ３６では、親機３０ａが同報通信を送信してから図１０に示す送信間隔時間２１４を経過しているかが、親機３０ａにおいて判断される。送信間隔時間２１４を経過していないと判断されればステップＳ３６へ進み、送信間隔時間２１４を経過していると判断されればステップＳ３１へ進む。
【００６７】
＜送信間隔時間２１４の算出方法＞
図１０に示す送信間隔時間２１４は、
送信間隔時間（２１４）＝通信間隔（２１１）×（通信順アドレス群（１５２ａ）の最大値＋２）・・・（式１）
の式により算出される。式１において、通信間隔２１１は、親機が送信してから最初に返信すべき子機が返信し始めるまでの時間であり、図１０に示すように待ち時間なしで送受信した場合にかかる時間２０９に補正時間２１０である０．２秒を加えたものであり、それまでの通信状況から親機において自動的に計算される。通信順アドレス群１５２ａ（１５２ａａ、１５２ａｂ、１５２ａｃ、・・・）は、図１０に示すように０から始まる整数値の集まりであり、親機や子機が同報通信する順番を決めるのに利用される。親機は０であり、子機は１以上の整数値を順番に割り当てられる。例えば無線機器３０ａの通信順アドレスは、図５に示す空調機データテーブル２８ａで空調機システム５０ａのデータとして記憶されている通信順アドレス１５２ａａである。空調機システム５０ａは無線機器３０ａに有線ネットワーク８０ａで接続されているので、空調機システム５０ａの通信順アドレス１５２ａａが無線機器３０ａの通信順アドレスとなる。通信順アドレス群１５２ａ（１５２ａａ、１５２ａｂ、１５２ａｃ、・・・）の最大値は、例えば図５に示す空調機データテーブル２８ａの通信順アドレス群１５２ａ（１５２ａａ、１５２ａｂ、１５２ａｃ、・・・）の欄を参照することにより決定される。
【００６８】
＜返信遅延時間２１０、２１２、・・・の算出方法＞
図１０に示す返信遅延時間２１０、２１２、・・・は、
返信遅延時間＝通信間隔（２１１）×（通信順アドレス−１）＋補正時間（２１０）                  ・・・（式２）
の式により算出される。例えば、無線ゲートウェイ１０ｂの無線機器３０ｂに通信順アドレス１５２ｂｂとして１が割り当てられている場合を考える。式２の通信順アドレスに１を代入すると、（通信順アドレス−１）は０になるので、返信遅延時間は補正時間２１０と等しくなる。すなわち、無線機器３０ｂの返信遅延時間は図１０の返信遅延時間２１０となる。次に、無線ゲートウェイ１０ｃの無線機器３０ｃに通信順アドレス１５２ｃｃとして２が割り当てられている場合を考える。式２の通信順アドレスに２を代入すると、（通信順アドレス−１）は１になるので、返信遅延時間は通信間隔２１１と補正時間２１０との和になる。すなわち、無線機器３０ｂの返信遅延時間は図１０の返信遅延時間２１２となる。
【００６９】
＜無線機器群３０（３０ａ、３０ｂ、３０ｃ、・・・）が同報通信するタイミング＞
図１及び図２に示す無線ゲートウェイ群１０の無線機器群３０（３０ａ、３０ｂ、３０ｃ、・・・）が同報通信するタイミングを、図１０に示すタイミングチャートを用いて説明する。図１０には、無線機器群３０が無線機器３０ａと無線機器３０ｂと無線機器３０ｃとにより構成され、通信順アドレス群１５２ａ（１５２ａａ、１５２ａｂ、１５２ａｃ、・・・）の最大値が２の場合を示している。無線機器３０ａが親機であり、無線機器３０ｂと無線機器３０ｃとが子機である場合を説明する。このとき、無線機器３０ａの通信順アドレス１５２ａａが０、無線機器３０ｂの通信順アドレス１５２ａｂが１、無線機器３０ｃの通信順アドレス１５２ａｃが２であると仮定する。
【００７０】
図１０に示すように、タイミング２０１において、通信順アドレス１５２ａａが０である親機の無線機器３０ａにより、図１０に示す通信間隔２１１の情報と図５に示す空調機データテーブル２８ａにおける空調機システム５０ａの情報とが、同報通信で全ての子機すなわち無線機器３０ｂと無線機器３０ｃとに送信される。タイミング２０１から時間２０９だけ経過したタイミング２０２において、親機の無線機器３０ａから同報通信された図１０に示す通信間隔２１１の情報と図５に示す空調機データテーブル２８ａにおける空調機システム５０ａの情報とが、各子機すなわち無線機器３０ｂと無線機器３０ｃとにより受信される。タイミング２０２から返信遅延時間２１０だけ経過したタイミング２０３において、通信順アドレス１５２ａｂが１である子機の無線機器３０ｂにより、図５に示すような空調機データテーブル２８ｂにおける空調機システム５０ｂの情報が、親機と他の全ての子機すなわち無線機器３０ａと無線機器３０ｃとに同報通信で送信される。タイミング２０２から返信遅延時間２１２だけ経過したタイミング２０５において、通信順アドレス１５２ａｃが２である子機の無線機器３０ｃにより、図５に示すような空調機データテーブル２８ｃにおける空調機システム５０ｃの情報が、親機と他の全ての子機すなわち無線機器３０ａと無線機器３０ｂとに同報通信で送信される。通信順アドレス１５２ａｃが２である子機の無線機器３０ｃからの送信はタイミング２０６において相手方すなわち無線機器３０ａと無線機器３０ｂとでの受信が完了する。しかし安全のために、補正時間２１５と通信間隔２１６とが経過したタイミング２０８において、図１０に示す通信間隔２１１の情報と図５に示す空調機データテーブル２８ａにおける空調機システム５０ａの情報とが、通信順アドレス１５２ａａが０である親機の無線機器３０ａから再び同報通信で送信される。タイミング２０１からタイミング２０８までの時間２１４が、親機の無線機器３０ａが送信を行う時間間隔である送信間隔時間２１４である。なお、補正時間２１５は補正時間２１０と等しく、通信間隔２１６は通信間隔２１１と等しい。
【００７１】
＜無線ゲートウェイ１０ｂのリピート機能＞
図１に示す無線ゲートウェイ１０ｂのリピート機能を、図１１の概念図を用いて説明する。
図１１において、無線ゲートウェイ１０ａが直接通信できる範囲３０１の中に無線ゲートウェイ１０ｃが入らないので、無線ゲートウェイ１０ａから無線ゲートウェイ１０ｃへは直接通信することはできない。しかし、無線ゲートウェイ１０ａが直接通信できる範囲３０１と無線ゲートウェイ１０ｃが直接通信できる範囲３０３とは重なり合う部分があるため、その部分に無線ゲートウェイ１０ｂを置くと、無線ゲートウェイ１０ｂが直接通信できる範囲３０２には無線ゲートウェイ１０ａと無線ゲートウェイ１０ｃとが両方とも入ることになる。ここで、無線ゲートウェイ１０ｂにリピート機能を持たせることにより、仮想的に無線ゲートウェイ１０ａから無線ゲートウェイ１０ｃへ直接通信できるようになる。
【００７２】
すなわち、無線ゲートウェイ１０ｂは、無線ゲートウェイ１０ａから無線ネットワーク７０を経由して空調機システム５０ａの情報を受信する。その情報の送信元アドレスは図５に示す無線ゲートウェイ１０ａの通信順アドレス１５２ａａである。図１１において、無線ゲートウェイ１０ｂは、無線ゲートウェイ１０ａから送られた空調機システム５０ａの情報を無線ゲートウェイ１０ｃへ転送する。その際に送信元アドレスを、無線ゲートウェイ１０ｂの通信順アドレス１５２ｂｂではなく無線ゲートウェイ１０ａの通信順アドレス１５２ａａのままとする。無線ゲートウェイ１０ｃは、空調機システム５０ａの情報を受信した際に、仮想的に、無線ゲートウェイ１０ｂからでなく無線ゲートウェイ１０ａから送信されたものと認識する。
【００７３】
＜管理制御システム１に関する特徴＞
（１）
ここでは、図２に示す無線ゲートウェイ１０ａの情報共有装置２０ａの共有部２３ａに記憶された空調機データテーブル２８ａおいて空調機システム群５０（５０ａ，５０ｂ，５０ｃ，・・・）の情報が共有されている。無線機器３０ａは情報共有装置２０ａから空調機システム５０ａの情報を受け取る。無線機器３０ａが無線ネットワーク７０を通じて他の無線機器３０ｂ、３０ｃ、・・・へ空調機システム５０ａの情報を送信する。送受信機４０ａが有線ネットワーク８０ａを通じて空調機システム５０ａの情報を空調機システム５０ａへ送信し、空調機システム５０ａの現在の情報を空調機システム５０ａから受信する。無線ネットワーク７０と有線ネットワーク８０ａとは通信方式が異なる。
【００７４】
そのため、無線ネットワーク７０と有線ネットワーク８０ａとを接続する部分で伝送効率が低減する可能性が発生するが、空調機システム群５０（５０ａ，５０ｂ，５０ｃ，・・・）の情報を共有して更新部分である空調機システム５０ａの情報を送受信するため、伝送効率が低減することが回避される。
（２）
ここでは、無線ネットワーク７０のデータは、図２に示す無線機器３０ａで受信される。そのデータは、無線機器３０ａから情報共有装置２０ａへ伝送され、情報共有装置２０ａの第１フォーマット変換部２６ａにより共通のフォーマットである空調機データテーブル２８ａのフォーマットに変換される。また、有線ネットワーク８０ａのデータは、送受信機４０ａで受信される。そのデータは、送受信機４０ａから情報共有装置２０ａへ伝送され、情報共有装置２０ａの第２フォーマット変換部２７ａにより共通のフォーマットである空調機データテーブル２８ａのフォーマットに変換される。無線ネットワーク７０のデータが無線機器３０ａで送受信されるタイミングと有線ネットワーク８０ａのデータが送受信機４０ａで送受信されるタイミングとは、互いに非同期である。
【００７５】
したがって、通信方式の異なるデータの伝送が円滑に行われる。
（３）
ここでは、図２に示す情報共有装置２０ａが空調機システム群５０（５０ａ，５０ｂ，５０ｃ，・・・）のアドレス情報２４ａと空調機システム群５０（５０ａ，５０ｂ，５０ｃ，・・・）の制御情報２５ａとを共有している。空調機システム群５０（５０ａ，５０ｂ，５０ｃ，・・・）のうち空調機システム５０ａのアドレス情報２４ａａと空調機システム群５０（５０ａ，５０ｂ，５０ｃ，・・・）のうち空調機システム５０ａの制御情報２５ａａとが、情報共有装置２０ａから送受信機４０ａへ伝送され、送受信機４０ａから空調機システム５０ａへ有線ネットワーク８０ａを経由して送信される。また、空調機システム５０ａのアドレス情報２４ａａ及び空調機システム５０ａ制御情報２５ａａが、空調機システム５０ａから送受信機４０ａで有線ネットワーク８０ａを経由して受信され、送受信機４０ａから情報共有装置２０ａへ伝送される。
【００７６】
このため、空調機システム５０ａが管理制御される。
（４）
ここでは、図１に示すように無線ネットワーク７０が無線回線で有線ネットワーク８０ａが有線回線であり、図２に示すように無線機器３０ａが無線送受信装置で送受信機４０ａが有線送受信装置である。
【００７７】
すわなち、無線回線を用いてネットワークを構成しているため、有線回線のみでネットワークを構成する場合に比べて低コストでネットワークが構成される。
（５）
ここでは、親機の無線機器３０ａが図１０に示す通信間隔２１１を決める。親機の無線機器３０ａにより、図５に示すような親機の無線機器３０ａの空調機データテーブル２８ａにおける空調機システム５０ａの情報と図１０に示す通信間隔２１１の情報とが、同報通信で全ての子機の無線機器５０ｂ，５０ｃ，・・・に送信される。親機の無線機器３０ａから同報通信を受け取ってから図１０に示す返信遅延時間２１０、２１２、・・・を経過した後に各子機の無線機器５０ｂ，５０ｃ，・・・が同報通信を行い、図５に示すような子機の無線機器３０ｂ，３０ｃ，・・・の空調機データテーブル２８ｂ，２８ｃ，・・・における空調機システム５０ｂ，５０ｃ，・・・の情報が、親機の無線機器３０ａと他の全ての子機の無線機器３０ｂ，３０ｃ，・・・とへ同報通信で送信される。返信遅延時間２１０、２１２、・・・は、子機ごとに互いに異なる。
【００７８】
したがって、通信信号の衝突が起こらないため、親機３０ａや子機３０ｂ，３０ｃ，・・・において伝送効率が低減することが回避される。
（６）
ここでは、図１１に示すように無線ゲートウェイ１０ａから無線ゲートウェイ１０ｂが情報を受信する。無線ゲートウェイ１０ｂは、無線ゲートウェイ１０ａから受信した情報をその送信元アドレスを変更せずに無線ゲートウェイ１０ｃへ転送する。その情報は、無線ゲートウェイ１０ｃで受信された際に、無線ゲートウェイ１０ａから直接送信されたものと認識される。
【００７９】
したがって、無線ゲートウェイ１０ａの送信可能範囲が広げられる。
（７）
ここでは、図１及び図４に示す集中コントローラ６０は、有線ネットワーク８０ａを通じて図２に示す送受信機４０ａから空調機システム５０ａの情報を受信し、有線ネットワーク８０ａを通じて空調機システム５０ａへ集中制御用の情報を送信する。図１及び図４に示す集中コントローラ６０は、有線ネットワーク８０ａを通じて図２に示す送受信機４０ａから空調機システム５０ｂ、５０ｃ、・・・の情報を受信し、ネットワーク８０ａと無線ネットワーク７０とネットワーク８０ｂ，８０ｃ，・・・とを介して空調機システム５０ｂ、５０ｃ、・・・へ集中制御用の情報を送信する。また、図１及び図４に示す集中コントローラ６０は、有線ネットワーク８０ａを通じて空調機システム５０ａから現在の空調機システム５０ａの情報を受信し、有線ネットワーク８０ａを通じて図２に示す送受信機４０ａへ現在の空調機システム５０ａの情報を送信する。
【００８０】
このため、空調機システム群５０（５０ａ，５０ｂ，５０ｃ，・・・）の管理制御が効率的に行われる。
＜第１実施形態の変形例＞
（Ａ）図９及び図１０に示す返信遅延時間２１０、２１２、・・・は親機で算出してもよい。この場合、図９に示す無線機器群３０（３０ａ、３０ｂ、３０ｃ、・・・）が同報通信する処理の流れにおいて、ステップＳ３３が省略され、ステップＳ３０において、親機の同報通信を子機が受信してから子機が返信を行う時間間隔である図１０に示す返信遅延時間２１０、２１２、・・・が親機で算出される。この場合、子機での処理が簡略化されるので、子機の構造が簡略化される。図５に示すような通信順アドレス１５２ａａ，１５２ａｂ，１５ａｃ，・・・は、親機を有する無線ゲートウェイ１０ａ，１０ｂ，１０ｃ，・・・の情報共有装置２０ａ，２０ｂ，２０ｃ，・・・にのみ記憶されており、親機から子機に同報通信されるようにしてもよい。この場合は、子機における情報共有装置の記憶容量が節約される。図１０に示す送信間隔時間２１４を計算する式１において、通信順アドレス群１５２ａの代わりに通信順アドレス群１５２ｂ、１５２ｃ、・・・を用いてもよい。通信順アドレス群１５２ｂ、１５２ｃ、・・・は、空調機データテーブル２８ｂ、２８ｃ、・・・を参照することにより決定される。
（Ｂ）図１及び図４に示す集中コントローラ６０は無線ゲートウェイ群１０（１０ａ，１０ｂ，１０ｃ，・・・）のいずれかの無線ゲートウェイに組み込まれていてもよい。あるいは、集中コントローラ６０は室外機群５４（５４ａ、５４ｂ、５４ｃ、・・・）のいずれかの室外機に組み込まれていてもよい。あるいは、集中コントローラ６０は室内機群５３（５３ａ、５３ｂ、５３ｃ、・・・）のいずれかの室内機に組み込まれていてもよい。集中コントローラ６０は複数あってもよい。例えば、有線ネットワーク８０ａ上に集中コントローラ６０ａと有線ネットワーク８０ｂ上に集中コントローラ６０ｂと有線ネットワーク８０ｃ上に集中コントローラ６０ｃとが備えられていてもよい。この場合は、複数の場所から集中的な管理制御がなされる。
（Ｃ）図１に示す室内機群５３（５３ａ、５３ｂ、５３ｃ、・・・）の各室内機はリモコンを備えていてもよい。リモコンは、室外機群５４（５４ａ、５４ｂ、５４ｃ、・・・）の各室外機に接続された複数の室内機５３ａ，５３ｂ，５３ｃ，・・・の１つに備えられていてもよく、複数台に備えられていてもよい。集中コントローラ６０はなくてもよい。その場合には、無線ゲートウェイ群１０（１０ａ，１０ｂ，１０ｃ，・・・）や室外機群５４（５４ａ、５４ｂ、５４ｃ、・・・）に組み込まれた各コントローラにより自動的に管理制御するようにしてもよいし、各室内機に備えられたリモコンにより管理制御するようにしてもよい。図１に示す室外機群５４（５４ａ、５４ｂ、５４ｃ、・・・）の各室外機に接続されている室内機５３ａ、５３ｂ、５３ｃ、・・・の台数は３台でなくてもよい。１台でも、２台でも、４台以上でもよい。
（Ｄ）図８に示すように、無線ゲートウェイ１０ａは、無線ゲートウェイ１０ａに有線ネットワーク８０ａを介して接続された空調機システム５０ａの情報のみでなく空調機データテーブル２８ａの全ての情報を、他の無線ゲートウェイ１０ｂ，１０ｃ，・・・へ送信してもよい。この場合は、無線ゲートウェイ１０ａに有線ネットワーク８０ａを介して接続された空調機システム５０ａの情報を空調機データテーブル２８ａから呼び出す処理が不要になるため、処理がより高速に行われる。他の無線ゲートウェイ１０ｂ，１０ｃ，・・・も同様にしてもよい。（Ｅ）図１に示す管理制御システム１において、無線ゲートウェイ群１０（１０ａ，１０ｂ，１０ｃ，・・・）の各無線ゲートウェイには有線ネットワーク群８０（８０ａ、８０ｂ、８０ｃ、・・・）のいずれかの有線ネットワークにより複数の空調機システムが接続されていてもよい。図２に示す伝送ケーブル９７ａと伝送ケーブル９１ａと伝送ケーブル９６ａと伝送ケーブル９５ａと伝送ケーブル９４ａと伝送ケーブル９３ａと伝送ケーブル９２ａと伝送ケーブル９８ａと図３に示す伝送ケーブル９９ａと図４に示す伝送ケーブル１１０とは、少なくともその一部がケーブルではなくシステムボードの配線やＩＣの配線のようなものでもよい。
（Ｆ）図６に示すフローチャートにおいて、ステップＳ４・ステップＳ５・ステップＳ６のあとにステップＳ１・ステップＳ２・ステップＳ３・ステップＳ７・・・・を行ってもよい。
【００８１】
［第２実施形態］
本発明の第２実施形態にかかる管理制御システム４００を図１２に示す。この管理制御システム４００は、空調機システム群４５０（４５０ａ、４５０ｂ、４５０ｃ、・・・）を管理制御するためのシステムである。
この管理制御システム４００は、各構成要素の基本的な構造は図２〜図４に示す第１実施形態と同様であり、空調機システム群４５０（４５０ａ、４５０ｂ、４５０ｃ、・・・）が室外機群４５４（４５４ａ，４５４ｂ，４５４ｃ，・・・）と室内機群４５３（４５３ａ，４５３ｂ，４５３ｃ，・・・）とから構成される点も第１実施形態と同様であるが、無線ネットワーク７０の代わりに有線ネットワーク４７０が用いられ、有線ネットワーク群８０（８０ａ、８０ｂ、８０ｃ、・・・）の代わりに無線ネットワーク群４８０（４８０ａ、４８０ｂ、４８０ｃ、・・・）が用いられている点で構成が異なる。すなわち、無線ゲートウェイ４１０ａは、集中コントローラ４６０及び室外機４５４ａと無線ネットワーク４８０ａを介して情報の送受信を行う。無線ゲートウェイ群４１０（４１０ａ、４１０ｂ、４１０ｃ、・・・）は、互いに有線ネットワーク４７０を介して情報を送受信する。無線ゲートウェイ群４１０（４１０ａ、４１０ｂ、４１０ｃ、・・・）は、通信方式の異なる有線ネットワーク４７０と無線ネットワーク群４８０（４８０ａ、４８０ｂ、４８０ｃ、・・・）のうちいずれかの無線ネットワークとを接続している。
【００８２】
無線ゲートウェイ群４１０（４１０ａ、４１０ｂ、４１０ｃ、・・・）が通信方式の異なる２つのネットワークを接続している点も第１実施形態と同様であり、情報共有装置２０ａの共有部２３ａに記憶された空調機データテーブル２８ａおいて空調機システム群４５０（４５０ａ、４５０ｂ、４５０ｃ、・・・）の情報が共有されている点も第１実施形態と同様である。したがって、このような管理制御システム４００によっても、有線ネットワーク４７０と無線ネットワーク４８０ａとを接続する部分で伝送効率が低減する可能性が発生するが、空調機システム群４５０（４５０ａ、４５０ｂ、４５０ｃ、・・・）の情報を共有して更新部分である空調機システム５０ａの情報を送受信するため、伝送効率が低減することが回避される。また、無線回線である無線ネットワーク群４８０（４８０ａ、４８０ｂ、４８０ｃ、・・・）を用いてネットワークを構成しているため、有線回線のみでネットワークを構成する場合に比べて低コストでネットワークが構成される。
【００８３】
［第３実施形態］
本発明の第３実施形態にかかる管理制御システム５００を図１３に示す。この管理制御システム５００は、空調機システム群５０（５０ａ，５０ｂ，５０ｃ，・・・）を管理制御するためのシステムである。図１３において、図１の管理制御システム１の構成要素と同様の構成要素は同じ番号で示してある。
【００８４】
この管理制御システム５００は、基本的な構造は第１実施形態と同様であり、空調機システム群５０（５０ａ，５０ｂ，５０ｃ，・・・）が室外機群５４（５４ａ，５４ｂ，５４ｃ，・・・）と室内機群５３（５３ａ，５３ｂ，５３ｃ，・・・）とから構成される点も第１実施形態と同様であり、各構成要素は図２〜図４と同様であるが、無線ネットワーク７０の代わりに有線ネットワーク５７０が用いられ、無線ゲートウェイ群１０（１０ａ，１０ｂ，１０ｃ，・・・）の代わりに有線ゲートウェイ群５１０（５１０ａ，５１０ｂ，５１０ｃ，・・・）が用いられている点で構成が異なる。すわなち、有線ゲートウェイ群５１０（５１０ａ，５１０ｂ，５１０ｃ，・・・）の各有線ゲートウェイは、有線ネットワーク５７０を介して互いに情報を送受信する。有線ネットワーク５７０は、有線ネットワーク群８０（８０ａ、８０ｂ、８０ｃ、・・・）とは通信速度が異なるネットワークである。
【００８５】
情報共有装置２０ａの共有部２３ａに記憶された空調機データテーブル２８ａおいて空調機システム群５０（５０ａ，５０ｂ，５０ｃ，・・・）の情報が共有されている点も第１実施形態と同様である。したがって、このような管理制御システム５００によっても、有線ネットワーク５７０と有線ネットワーク群８０（８０ａ、８０ｂ、８０ｃ、・・・）との通信速度が異なることにより両者のネットワークを接続する部分で伝送効率が低減する可能性が発生するが、空調機システム群５０（５０ａ，５０ｂ，５０ｃ，・・・）の情報を共有して更新部分である空調機システム５０ａの情報を送受信するため、伝送効率が低減することが回避される。
【００８６】
＜第３実施形態の変形例＞
（Ａ）図１３において、有線ネットワーク５７０を無線ネットワーク５７０とし、有線ネットワーク群８０（８０ａ、８０ｂ、８０ｃ、・・・）を無線ネットワーク群８０（８０ａ、８０ｂ、８０ｃ、・・・）とし、有線ゲートウェイ群５１０（５１０ａ，５１０ｂ，５１０ｃ，・・・）を無線ゲートウェイ群５１０（５１０ａ，５１０ｂ，５１０ｃ，・・・）としてもよい。ここで、無線ネットワーク５７０と無線ネットワーク群８０（８０ａ、８０ｂ、８０ｃ、・・・）とは通信速度が異なる。したがって、このような管理制御システム５００によっても、無線ネットワーク５７０と無線ネットワーク群８０（８０ａ、８０ｂ、８０ｃ、・・・）との通信速度が異なることにより両者のネットワークを接続する部分で伝送効率が低減する可能性が発生するが、空調機システム群５０（５０ａ，５０ｂ，５０ｃ，・・・）の情報を共有して更新部分である空調機システム５０ａの情報を送受信するため、伝送効率が低減することが回避される。
【００８７】
【発明の効果】
請求項１に係る管理制御システムでは、情報共有装置が、複数の空調機器の情報を第１ネットワーク群の複数のネットワークについて共有する。ネットワークノード群の各ネットワークノードは、第２ネットワークを通じて他のネットワークノードと複数の空調機器の少なくとも一部の情報を送受信する。ネットワークノード群の各ネットワークノードは、第１ネットワークを通じて複数の空調機器の情報のうち少なくとも一部の空調機器の情報を複数の空調機器の少なくとも一部の空調機器と送受信する。第１ネットワーク群と第２ネットワークとは通信方式及び通信速度の少なくとも一方が異なる。ここでは、第１ネットワーク群と第２ネットワークとの通信方式及び通信速度の少なくとも一方が異なるため、第１ネットワーク群と第２ネットワークとを接続する部分で伝送効率が低減する可能性が発生するが、複数の空調機器の情報を共有して少なくともその一部を送受信するため、伝送効率が低減することを回避することができる。
【００８８】
請求項２に係る管理制御システムでは、第１ネットワーク群のいずれかのネットワークのデータは、第２送受信装置で受信される。そのデータは、第２送受信装置から情報共有装置へ伝送され、情報共有装置で共通のフォーマットに変換される。また、第２ネットワークのデータは、第１送受信装置で受信される。そのデータは、第１送受信装置から情報共有装置へ伝送され、情報共有装置で共通のフォーマットに変換される。第１ネットワーク群のいずれかのネットワークのデータが第２送受信装置で送受信されるタイミングと第２ネットワークのデータが第１送受信装置で送受信されるタイミングとは、互いに非同期である。したがって、通信方式及び通信速度の少なくとも一方の異なるデータの伝送を円滑に行うことができる。
【００８９】
請求項３に係る管理制御システムでは、情報共有装置が複数の空調機器のアドレス情報及び複数の空調機器の制御情報を共有している。複数の空調機器のアドレス情報及び複数の空調機器の制御情報が、情報共有装置から第２送受信装置へ伝送され、第２送受信装置から複数の空調機器へ第１ネットワーク群のいずれかのネットワークを経由して送信される。また、複数の空調機器のアドレス情報及び複数の空調機器の制御情報が、複数の空調機器から第２送受信装置で第１ネットワーク群のいずれかのネットワークを経由して受信され、第２送受信装置から情報共有装置へ伝送される。このため、複数の空調機器が管理制御される。
【００９０】
請求項４に係る管理制御システムでは、第１ネットワーク群が無線回線で第２ネットワークが有線回線の場合は、複数の第２送受信装置が無線送受信装置で複数の第１送受信装置が有線送受信装置である。あるいは、第１ネットワーク群が有線回線で第２ネットワークが無線回線の場合は、複数の第２送受信装置が有線送受信装置で複数の第１送受信装置が無線送受信装置である。ここでは、無線回線を用いてネットワークを構成しているため、有線回線のみでネットワークを構成する場合に比べて低コストでネットワークを構成することができる。
【００９１】
請求項５に係る管理制御システムでは、親機が通信制御情報を決める。親機は、子機に対して同報通信を行い、複数の空調機器の情報のうち少なくとも一部の空調機器の情報とともに通信制御情報を送信する。子機は、親機から同報通信を受け取ってから返信遅延時間を経過した後に同報通信を行い、複数の空調機器の情報のうち少なくとも一部の空調機器の情報を送信する。返信遅延時間は、子機ごとに互いに異なる。したがって、通信信号の衝突が起こらないため、親機や子機において伝送効率が低減することを回避することができる。
【００９２】
請求項６に係る管理制御システムでは、別の第１送受信装置から第１送受信装置が情報を受信する。第１送受信装置は、別の第１送受信装置から受信した情報をその送信元アドレスを変更せずに他の第１送受信装置へ転送する。その情報は、他の第１送受信装置で受信された際に、別の第１送受信装置から直接送信されたものと認識されることが可能である。したがって、第１送受信装置は送信可能範囲を広げることができる。
【００９３】
請求項７に係る管理制御システムでは、集中制御装置は、第１ネットワーク群のいずれかのネットワークを通じて第２送受信装置で１以上の空調機器の直前の情報を受信し、第１ネットワーク群及び第２ネットワークの少なくとも一方のネットワークを通じて１以上の空調機器へ集中制御情報を送信する。また、集中制御装置は、第１ネットワーク群のいずれかのネットワークを通じて複数の空調機器から１以上の空調機器の現在の情報を受信し、第１ネットワーク群のいずれかのネットワークを通じて第２送受信装置へ１以上の空調機器の現在の情報を転送する。このため、空調機器の管理制御を効率的に行うことができる。
【００９４】
請求項８に係る情報伝送方法では、第２ネットワークを通じて第２ネットワークノードにおける第１送受信装置から送られてきた第１情報が、第１ステップで第１ネットワークノードにおける第１送受信装置に受信される。その第１情報は、第２ステップで第１ネットワークノードにおける第１送受信装置から第１ネットワークノードにおける情報共有装置へ伝送される。第２情報は、第３ステップで第１情報により更新される。第３ネットワークを通じて第１ネットワークノードにおける第２送受信装置に送られてきた第３情報が、第４ステップで第１ネットワークノードにおける第２送受信装置に受信される。その第３情報は、第５ステップで第１ネットワークノードにおける第２送受信装置から情報共有装置へ伝送される。第２情報は、第６ステップで第３情報により更新される。したがって、複数のネットワークノードに接続された空調機器の情報が情報共有装置で共有されて、その情報共有装置の情報の少なくとも一部の情報が送受信されるので、通信方式及び通信速度の少なくとも一方が異なる複数のネットワークを接続する場合でも伝送効率が低減することを回避することができる。
【００９５】
請求項９に係る通信方法では、親機が決めた通信制御情報と第１情報とは、親機送信ステップで第２ネットワークを通じて子機へ同報通信で送信される。子機は、子機受信ステップで第２ネットワークを通じて親機から通信制御情報と第１情報とを受信する。子機は、子機送信ステップで返信遅延時間を経過したあと、第２情報を同報通信で送信する。返信遅延時間は、子機ごとに互いに異なる。  したがって、通信信号の衝突が起こらないため、通信方式及び通信速度の少なくとも一方が異なる複数のネットワークを接続する場合でも伝送効率が低減することを回避することができる。
【００９６】
請求項１０に係るネットワークノードでは、複数の空調機器の直前の情報のうち少なくとも一部の空調機器の情報が、情報共有装置から第１送受信装置へ伝送され、第１送受信装置で互いに送受信されることが可能である。また、複数の空調機器の現在の情報のうち少なくとも一部の空調機器の情報が、第２送受信装置により受信され、第２送受信装置から情報共有装置へ伝送されることが可能である。したがって、通信方式及び通信速度の少なくとも一方が異なる複数のネットワークを接続する場合でも伝送効率が低減することを回避することができる。
【００９７】
請求項１１に係る送受信装置では、第１情報は、第１ネットワークノードにおける情報共有装置から第１ネットワークノードにおける送受信装置の受渡部へ伝送される。第１情報は、第１ネットワークノードにおける送受信装置の送受信部へ伝送される。第１情報は、第１ネットワークノードにおける送受信装置の送受信部において第２ネットワークノードにおける送受信装置へ第２ネットワーク経由で送信される。また、第２情報は、第１ネットワークノードにおける送受信装置の送受信部において第２ネットワークノードにおける送受信装置から第２ネットワーク経由で受信される。第２情報は、第１ネットワークノードにおける送受信装置の送受信部から受渡部へ伝送される。第２情報は、第１ネットワークノードにおける送受信装置の受渡部から第１ネットワークノードにおける情報共有装置へ伝送される。第１ネットワークノードにおける情報共有装置では、第２情報を基に第１情報を更新することができる。したがって、複数の空調機器の情報を共有して少なくともその一部を送受信するため、通信方式及び通信速度の少なくとも一方が異なる複数のネットワークを接続する場合でも伝送効率が低減することを回避することができる。
【００９８】
請求項１２に係る情報共有装置では、共有部で第１情報が共有されている。第１情報は、共有部から第１受渡部に伝送され、第１受渡部から第１送受信装置へ伝送される。また第１情報は、共有部から第２受渡部に伝送され、第２受渡部から第２送受信装置へ伝送される。第３情報は、第１送受信装置から第１受渡部へ伝送される。第２情報は、第２送受信装置から第２受渡部へ伝送される。第２情報や第３情報をもとに第１情報が更新される。このため、複数の空調機器の情報を共有して少なくともその一部を送受信することができるため、通信方式及び通信速度の少なくとも一方が異なる複数のネットワークを接続する場合でも伝送効率が低減することを回避することができる。
【００９９】
請求項１３に係る空調機器では、情報収集部は、第２情報を収集し、その第２情報を送受信部へ渡す。送受信部は、第２情報を第２送受信装置に送信するとともに、第１情報を受信する。第２情報は、第２送受信装置から情報共有装置に伝送される。情報共有装置では、第２情報にもとづき第１情報を更新することができる。このため、複数の空調機器の情報を共有して少なくともその一部を送受信することができるため、通信方式及び通信速度の少なくとも一方が異なる複数のネットワークを接続する場合でも伝送効率が低減することを回避することができる。
【０１００】
請求項１４に係る集中制御装置では、第１情報は、情報共有装置から第２送受信装置へ伝送され、第２送受信装置から第３ネットワーク経由で送受信部へ送られ、送受信部から制御部へ伝送される。制御部では、第１情報をもとに集中制御情報が生成される。集中制御情報は、制御部から送受信部へ渡され、送受信部から制御対象空調機器へ第１ネットワーク群のいずれかのネットワーク及び第２ネットワーク及び第３ネットワークの少なくとも１つを経由して送信される。第２情報は、複数の空調機器から送受信部へ第３ネットワーク経由で送信され、そのまま第２送受信装置へ転送され、第２送受信装置で受信され、第２送受信装置から情報共有装置へ伝送される。このため、複数の空調機器の情報を共有して少なくともその一部を送受信することができるため、通信方式及び通信速度の少なくとも一方が異なる複数のネットワークを接続する場合でも伝送効率が低減することを回避することができる。
【図面の簡単な説明】
【図１】本発明の第１実施形態による管理制御システム１の構成図。
【図２】本発明の第１実施形態による無線ゲートウェイ１０ａの構成図。
【図３】本発明の第１実施形態による空調機システム５０ａの構成図。
【図４】本発明の第１実施形態による集中コントローラ６０の構成図。
【図５】本発明の第１実施形態による空調機データテーブル２８ａの構成図。
【図６】本発明の第１実施形態による管理制御システム１が情報を伝送する処理の流れを示すフローチャート。
【図７】本発明の第１実施形態による管理制御システム１が情報を伝送する処理の流れを示すフローチャート。
【図８】本発明の第１実施形態による空調機データテーブル群２８（２８ａ、２８ｂ、２８ｃ、・・・）が更新される処理の流れを示す概念図。
【図９】本発明の第１実施形態による無線機器群３０（３０ａ、３０ｂ、３０ｃ、・・・）が同報通信する処理の流れを示すフローチャート。
【図１０】本発明の第１実施形態による無線機器群３０（３０ａ、３０ｂ、３０ｃ、・・・）が同報通信するタイミングを示すタイミングチャート。
【図１１】本発明の第１実施形態による無線ゲートウェイ１０ｂのリピート機能を示す概念図。
【図１２】本発明の第２実施形態による管理制御システム４００の構成図。
【図１３】本発明の第３実施形態による管理制御システム５００の構成図。
【符号の説明】
１，４００，５００  管理制御システム
１０、４１０  無線ゲートウェイ群
５０，４５０  空調機システム群
６０、４６０  集中コントローラ
７０  無線ネットワーク
８０  有線ネットワーク群
４７０、５７０  有線ネットワーク
４８０  無線ネットワーク群
５１０  有線ゲートウェイ群
【図１】
2004328184.tif 000003
【図２】
2004328184.tif 000004
【図３】
2004328184.tif 000005
【図４】
2004328184.tif 000006
【図５】
2004328184.tif 000007
【図６】
2004328184.tif 000008
【図７】
2004328184.tif 000009
【図８】
2004328184.tif 000010
【図９】
2004328184.tif 000011
【図１０】
2004328184.tif 000012
【図１１】
2004328184.tif 000013
【図１２】
2004328184.tif 000014
【図１３】
2004328184.tif 000015